(57)【要約】実施形態は、ユーザ機器、ＵＥ、が、ＵＥのプライマリ・サービング・セル、ＰＳＣ、とともに動作するためのセカンダリ・セル、Ｓセル、をアクティブ化するための方法及び／又は手順を含む。実施形態は、ＵＥについて受信機活動率を決定すること（７１０）を含む。実施形態はまた、ＰＳＣから、Ｓセルを識別するアクティブ化要求を受信すること（７３０）を含む。実施形態はまた、受信機活動率に基づいてＳセルをアクティブ化すること（７３５）を含む。他の実施形態は、ＰＳＣ及び少なくとも１つの選択的にアクティブ化されたＳセルを介して１つ以上のＵＥと通信するように構成されたネットワーク・ノードによって実行される相補的な方法及び／又は手順を含む。他の実施形態は、方法及び／又は手順の様々なものに対応する動作を実行するように構成されたＵＥ及びネットワーク・ノード、ならびにこのような動作を実施するコンピュータ可読媒体を含む。
2021520682.tif 000002
【特許請求の範囲】
【請求項１】
ユーザ機器（ＵＥ）によって、ワイヤレス・ネットワークにおいて前記ＵＥのプライマリ・サービング・セル（ＰＳＣ）とともに動作するためのセカンダリ・セル（Ｓセル）のアクティブ化のために実行される方法であって、前記方法は、
前記ＵＥについての受信機活動率を決定すること（７１０）と、
前記ＰＳＣから、前記Ｓセルを識別するアクティブ化要求を受信すること（７３０）と、
前記受信機活動率に基づいて前記Ｓセルをアクティブ化すること（７３５）と、を有する、方法。
【請求項２】
請求項１に記載の方法であって、前記受信機活動率に基づいて前記Ｓセルをアクティブ化すること（７３５）は、
前記Ｓセルによって送信された信号の前記ＵＥによる最後の測定からの持続時間Ｔを決定すること（７４０）と、
前記受信機活動率の関数である第１閾値（Ｔ０）よりもＴが大きいかどうかを判定すること（７５０）と、
ＴがＴ０よりも大きいならば、第１アクティブ化手順（７６０）に従って前記Ｓセルをアクティブ化することと、
そうでないならば、第２アクティブ化手順（７６５）に従って前記Ｓセルをアクティブ化することと、を有する、方法。
【請求項３】
請求項２に記載の方法であって、Ｔ０は、前記受信機活動率の整数倍である、方法。
【請求項４】
請求項２又は３に記載の方法であって、前記第１アクティブ化手順（７６０）は、
前記Ｓセルによって送信された１つ以上の信号ブロックのそれぞれにおいて、電力を測定し、測定飽和を検出することであって、各信号ブロックは、第１増幅器についての複数のゲイン設定のうちの１つを使用して受信される、こと（８１０〜８３０、８５０）と、
前記電力測定及び飽和検出に基づいて、前記ゲイン設定のうちの１つを選択すること（８４０）と、
前記Ｓセルに対応する第１受信機ゲイン状態を決定することであって、
前記Ｓセルによって送信されたさらなる信号ブロックにおいて電力を測定することであって、前記さらなる信号ブロックは、前記第１増幅器についての前記選択されたゲイン設定を使用して受信される、ことと、
前記さらなる信号ブロックにおいて測定された前記電力に基づいて、第２増幅器についてのゲイン設定を決定することと、
前記第１増幅器についての前記選択されたゲイン設定と、前記第２増幅器についての前記決定されたゲイン設定とを前記第１受信機ゲイン状態として記憶することと、を有する、こと（８６０）と、を有する、方法。
【請求項５】
請求項４に記載の方法であって、前記第１アクティブ化手順（７６０）は、前記記憶された第１受信機ゲイン状態を使用して前記第２アクティブ化手順（７６５）を実行することをさらに有する、方法。
【請求項６】
請求項２乃至５の何れか１項に記載の方法であって、前記第２アクティブ化手順（７６５）に従って前記Ｓセルをアクティブ化することは、
前記受信機活動率が第２閾値（Ｔ１）未満であるかどうかを判定すること（７７０）と、
前記受信機活動率がＴ１未満であるならば、持続時間Ｔａ１を有する高速第２アクティブ化手順（７９０）に従って前記Ｓセルをアクティブ化することと、
そうでないならば、Ｔａ１よりも大きい持続時間Ｔａ２を有する通常第２アクティブ化手順（７８０）に従って前記Ｓセルをアクティブ化することと、を有する、方法。
【請求項７】
請求項６に記載の方法であって、前記通常第２アクティブ化手順（７８０）に従って前記Ｓセルをアクティブ化することは、
前記記憶された第１受信機ゲイン状態を使用して、前記Ｓセルによって送信された第１信号ブロックに対して１回以上の第１測定を実行すること（８７０）と、
前記第１測定に基づいて、
前記記憶された第１受信機ゲイン状態を第２受信機ゲイン状態に更新することと、
第１同期情報を記憶することと、の動作を実行すること（８８０）と、を有する、方法。
【請求項８】
請求項７に記載の方法であって、
前記Ｓセルによって送信された第１信号ブロックに対して１回以上の第１測定を実行すること（８７０）は、
Ｓセル・タイミング不確実性の範囲をカバーする１つ以上のタイミング・オフセットのそれぞれにおいて少なくとも１回の第１測定を実行することと、
それぞれのタイミング・オフセットについての最大第１測定に対応する、前記タイミング・オフセットのうちの特定の１つを選択することと、を有し、
前記記憶された第１同期情報は、前記選択されたタイミング・オフセットに基づいており、
前記第１受信機ゲイン状態を前記第２受信機ゲイン状態に更新することは、前記選択されたタイミング・オフセットに対応する前記最大第１測定に基づいている、方法。
【請求項９】
請求項７又は８に記載の方法であって、前記第２通常アクティブ化手順（７８０）は、前記第２受信機ゲイン状態及び前記第１同期情報を使用して、前記第２高速アクティブ化手順（７９０）を実行することをさらに有する、方法。
【請求項１０】
請求項７乃至９の何れか１項に記載の方法であって、前記第２高速アクティブ化手順（７９０）は、
前記第２受信機ゲイン状態及び前記第１同期情報を使用して、前記Ｓセルによって送信された第２信号ブロックに対して１回以上の第２測定を実行することと、
前記１回以上の第２測定に基づいて、前記Ｓセルについてチャネル状態情報（ＣＳＩ）を決定することと、の動作（８９０）を有する、方法。
【請求項１１】
請求項１０に記載の方法であって、前記第２高速アクティブ化手順（７９０）は、前記１回以上の第２測定に基づいて、前記記憶された第２受信機ゲイン状態と前記記憶された第１同期情報とのうちの少なくとも１つを更新することをさらに有する、方法。
【請求項１２】
請求項１０又は１１に記載の方法であって、前記ＣＳＩを前記ＰＳＣへ送信すること（８９５）をさらに有する、方法。
【請求項１３】
請求項１乃至１２の何れか１項に記載の方法であって、ＰＳＣは、プライマリ・セル（Ｐセル）とプライマリ・セカンダリ・セル（ＰＳセル）とのうちの１つである、方法。
【請求項１４】
請求項１乃至１３の何れか１項に記載の方法であって、前記受信機活動率は、前記ネットワークから受信された以下のパラメータ、すなわち
Ｓセル測定サイクルと、
間欠受信（ＤＲＸ）サイクル周期と、
復調参照信号（ＤＲＳ）機会周期と、
ＳＳ／ＰＢＣＨブロック測定タイミング設定（ＳＭＴＣ）周期と、
のうちの１つ以上に基づいて決定される、方法。
【請求項１５】
請求項１又は２に記載の方法であって、前記受信機活動率に基づいて、前記Ｓセルによって送信された信号に対して１回以上の測定を実行すること（７２０）をさらに有する、方法。
【請求項１６】
プライマリ・サービング・セル（ＰＳＣ）と、少なくとも１つの選択的にアクティブ化されたセカンダリ・セル（Ｓセル）とを介して、１つ以上のユーザ機器（ＵＥ）と通信するように構成されたネットワーク・ノードによって実行される方法であって、前記方法は、
前記１つ以上のＵＥによる前記少なくとも１つのＳセルのアクティブ化をサポートするために必要な受信機活動率を決定すること（１３１０）と、
前記受信機活動率に関連する１つ以上のパラメータを前記１つ以上のＵＥへ送信すること（１３２０）と、
前記１つ以上のＵＥのうちの特定のＵＥへ、前記少なくとも１つのＳセルのうちの特定のＳセルをアクティブ化する要求を送信すること（１３４０）と、
前記特定のＵＥから、前記特定のＳセルに関する第２有効測定報告を受信すること（１３５０）と、を有する、方法。
【請求項１７】
請求項１６に記載の方法であって、前記特定のＳセルをアクティブ化する要求を送信すること（１３４０）と、前記第２有効測定報告を受信すること（１３５０）との間の第１持続時間は、前記ＵＥへ送信された前記１つ以上のパラメータの関数である、方法。
【請求項１８】
請求項１６又は１７に記載の方法であって、前記特定のＳセルをアクティブ化する前記要求を前記特定のＵＥへ送信すること（１３４０）の前に、前記特定のＵＥから前記特定のＳセルに関する第１有効測定報告を受信すること（１３３０）をさらに有し、前記第１持続時間はまた、前記第１有効測定報告を受信すること（１３３０）と、前記特定のＳセルをアクティブ化する前記要求を送信すること（１３４０）との間の第２持続時間の関数である、方法。
【請求項１９】
請求項１８に記載の方法であって、
前記第２持続時間が、前記受信機活動率の関数である第１閾値（Ｔ０）よりも大きいならば、前記第１持続時間は、第１値以下であり、
そうでないならば、前記第１持続時間は、前記第１値よりも小さい第２値以下である、方法。
【請求項２０】
請求項１９に記載の方法であって、前記第２継続時間がＴ０以下であるならば、前記第１継続時間は、
前記受信機活動率が第２閾値（Ｔ１）よりも大きいならば、前記第２値以下であり、
そうでないならば、前記第２値よりも小さい第３値以下である、方法。
【請求項２１】
請求項１６乃至２０の何れか１項に記載の方法であって、前記１つ以上のパラメータは、以下のもの、すなわち
Ｓセル測定サイクルと、
間欠受信（ＤＲＸ）サイクル周期と、
復調参照信号（ＤＲＳ）機会周期と、
ＳＳ／ＰＢＣＨブロック測定タイミング設定（ＳＭＴＣ）周期と、
のうちの何れかを有する、方法。
【請求項２２】
ユーザ機器（ＵＥ）（１４００）であって、ワイヤレス・ネットワークにおいて前記ＵＥのプライマリ・サービング・セル（ＰＳＣ）とともに動作するためのセカンダリ・セル（Ｓセル）をアクティブ化するように構成されたＵＥ（１４００）であり、前記ＵＥは、
無線送受信機（１４４０）と、
少なくとも１つのプロセッサ（１４１０）と、
前記少なくとも１つのプロセッサによって実行された場合に、請求項１乃至１５の何れか１項に記載の方法に対応する動作を実行するように前記ＵＥ（１４００）を構成するプログラム命令を記憶する少なくとも１つのメモリ（１４２０）と、を有する、ＵＥ（１４００）。
【請求項２３】
プライマリ・サービング・セル（ＰＳＣ）と、少なくとも１つの選択的にアクティブ化されたセカンダリ・セル（Ｓセル）とを介して、１つ以上のユーザ機器（ＵＥ）と通信するように構成されたネットワーク・ノード（１５００）であって、前記ネットワーク・ノードは、
無線インタフェース（１５４０）と、
少なくとも１つのプロセッサ（１５１０）と、
前記少なくとも１つのプロセッサによって実行された場合に、請求項１６乃至２１の何れか１項に記載の方法に対応する動作を実行するように前記ネットワーク・ノード（１５００）を構成するプログラム命令を記憶する少なくとも１つのメモリ（１５２０）と、を有する、ネットワーク・ノード（１５００）。
【請求項２４】
少なくとも１つのプロセッサ（１４１０）によって実行された場合に、請求項１乃至１５の何れか１項に記載の方法に対応する動作を実行することによって、ユーザ機器（ＵＥ）（１４００）を、ワイヤレス・ネットワークにおいて前記ＵＥのプライマリ・サービング・セル（ＰＳＣ）とともに動作するためのセカンダリ・セル（Ｓセル）のアクティブ化のために構成するプログラム命令（１４２０）を記憶する非一時的なコンピュータ可読媒体。
【請求項２５】
少なくとも１つのプロセッサ（１５１０）によって実行された場合に、プライマリ・サービング・セル（ＰＳＣ）と、少なくとも１つの選択的にアクティブ化されたセカンダリ・セル（Ｓセル）とを介して、１つ以上のユーザ機器（ＵＥ）と通信するように構成されたネットワーク・ノード（１５００）を、請求項１６乃至２１の何れか１項に記載の方法に対応する動作を実行するように構成するプログラム命令（１５２０）を記憶する非一時的なコンピュータ可読媒体。
【請求項２６】
ユーザ機器（ＵＥ）（１４００）であって、ワイヤレス・ネットワークにおいて前記ＵＥのプライマリ・サービング・セル（ＰＳＣ）とともに動作するためのセカンダリ・セル（Ｓセル）をアクティブ化するように構成され、前記ＵＥは、
前記ＵＥについての受信機活動率を決定すること（７１０）と、
前記ＰＳＣから、前記Ｓセルを識別するアクティブ化要求を受信すること（７３０）と、
前記受信機活動率に基づいて前記Ｓセルをアクティブ化すること（７３５）と、を行うようにさらに構成される、ＵＥ（１４００）。
【請求項２７】
請求項２６に記載のＵＥであって、前記ＵＥは、
前記Ｓセルによって送信された信号の前記ＵＥによる最後の測定からの持続時間Ｔを決定すること（７４０）と、
前記受信機活動率の関数である第１閾値（Ｔ０）よりもＴが大きいかどうかを判定すること（７５０）と、
ＴがＴ０よりも大きいならば、第１アクティブ化手順（７６０）に従って前記Ｓセルをアクティブ化することと、
そうでないならば、第２アクティブ化手順（７６５）に従って前記Ｓセルをアクティブ化することと、を行うことによって、前記受信機活動率に基づいて前記Ｓセルをアクティブ化する（７３５）ように構成される、ＵＥ。
【請求項２８】
請求項２７に記載のＵＥ（１４００）であって、Ｔ０は、前記受信機活動率の整数倍である、ＵＥ（１４００）。
【請求項２９】
請求項２７又は２８に記載のＵＥ（１４００）であって、前記ＵＥは、
前記Ｓセルによって送信された１つ以上の信号ブロックのそれぞれにおいて、電力を測定し、測定飽和を検出することであって、各信号ブロックは、第１増幅器についての複数のゲイン設定のうちの１つを使用して受信される、こと（８１０〜８３０、８５０）と、
前記電力測定及び飽和検出に基づいて、前記ゲイン設定のうちの１つを選択すること（８４０）と、
前記Ｓセルに対応する第１受信機ゲイン状態を決定することであって、
前記Ｓセルによって送信されたさらなる信号ブロックにおいて電力を測定することであって、前記さらなる信号ブロックは、前記第１増幅器についての前記選択されたゲイン設定を使用して受信される、ことと、
前記さらなる信号ブロックにおいて測定された前記電力に基づいて、第２増幅器についてのゲイン設定を決定することと、
前記第１増幅器についての前記選択されたゲイン設定と、前記第２増幅器についての前記決定されたゲイン設定とを前記第１受信機ゲイン状態として記憶することと、を有する、こと（８６０）と、を行うことによって、前記第１アクティブ化手順（７６０）に従って前記Ｓセルをアクティブ化するように構成される、ＵＥ（１４００）。
【請求項３０】
請求項２９に記載のＵＥ（１４００）であって、前記ＵＥは、前記記憶された第１受信機ゲイン状態を使用して前記第２アクティブ化手順（７６５）を実行することによって、前記第１アクティブ化手順（７６０）に従って前記Ｓセルをアクティブ化するようにさらに構成される、ＵＥ（１４００）。
【請求項３１】
請求項２７乃至３０の何れか１項に記載のＵＥ（１４００）であって、前記ＵＥは、
前記受信機活動率が第２閾値（Ｔ１）未満であるかどうかを判定すること（７７０）と、
前記受信機活動率がＴ１未満であるならば、持続時間Ｔａ１を有する高速第２アクティブ化手順（７９０）に従って前記Ｓセルをアクティブ化することと、
そうでないならば、Ｔａ１よりも大きい持続時間Ｔａ２を有する通常第２アクティブ化手順（７８０）に従って前記Ｓセルをアクティブ化することと、を行うことによって、前記第２アクティブ化手順（７６５）に従って前記Ｓセルをアクティブ化するように構成される、ＵＥ（１４００）。
【請求項３２】
請求項３１に記載のＵＥ（１４００）であって、前記ＵＥは、
前記記憶された第１受信機ゲイン状態を使用して、前記Ｓセルによって送信された第１信号ブロックに対して１回以上の第１測定を実行すること（８７０）と、
前記第１測定に基づいて、
前記記憶された第１受信機ゲイン状態を第２受信機ゲイン状態に更新することと、
第１同期情報を記憶することと、の動作を実行すること（８８０）と、を行うことによって、前記通常第２アクティブ化手順（７８０）に従って前記Ｓセルをアクティブ化するように構成される、ＵＥ（１４００）。
【請求項３３】
請求項３２に記載のＵＥ（１４００）であって、
前記Ｓセルによって送信された第１信号ブロックに対して１回以上の第１測定を実行すること（８７０）は、
Ｓセル・タイミング不確実性の範囲をカバーする１つ以上のタイミング・オフセットのそれぞれにおいて少なくとも１回の第１測定を実行することと、
それぞれのタイミング・オフセットについての最大第１測定に対応する、前記タイミング・オフセットのうちの特定の１つを選択することと、を有し、
前記記憶された第１同期情報は、前記選択されたタイミング・オフセットに基づいており、
前記第１受信機ゲイン状態を前記第２受信機ゲイン状態に更新することは、前記選択されたタイミング・オフセットに対応する前記最大第１測定に基づいている、ＵＥ（１４００）。
【請求項３４】
請求項３２又は３３に記載のＵＥ（１４００）であって、前記ＵＥは、前記第２受信機ゲイン状態及び前記第１同期情報を使用して、前記第２高速アクティブ化手順（７９０）を実行することによって、前記第２通常アクティブ化手順（７８０）に従って前記Ｓセルをアクティブ化するようにさらに構成される、ＵＥ（１４００）。
【請求項３５】
請求項３２乃至３４の何れか１項に記載のＵＥ（１４００）であって、前記ＵＥは、
前記第２受信機ゲイン状態及び前記第１同期情報を使用して、前記Ｓセルによって送信された第２信号ブロックに対して１回以上の第２測定を実行することと、
前記１回以上の第２測定に基づいて、前記Ｓセルについてチャネル状態情報（ＣＳＩ）を決定することと、の動作（８９０）を実行することによって、前記第２高速アクティブ化手順（７９０）に従って前記Ｓセルをアクティブ化するように構成される、ＵＥ（１４００）。
【請求項３６】
請求項３５に記載のＵＥ（１４００）であって、前記ＵＥは、前記１回以上の第２測定に基づいて、前記記憶された第２受信機ゲイン状態と前記記憶された第１同期情報とのうちの少なくとも１つを更新することによって、前記第２高速アクティブ化手順（７９０）に従って前記Ｓセルをアクティブ化するようにさらに構成される、ＵＥ（１４００）。
【請求項３７】
請求項３５又は３６に記載のＵＥ（１４００）であって、前記ＵＥは、前記ＣＳＩを前記ＰＳＣへ送信する（８９５）ようにさらに構成される、ＵＥ（１４００）。
【請求項３８】
請求項２６乃至３７の何れか１項に記載のＵＥ（１４００）であって、ＰＳＣは、プライマリ・セル（Ｐセル）とプライマリ・セカンダリ・セル（ＰＳセル）とのうちの１つである、ＵＥ（１４００）。
【請求項３９】
請求項２６乃至３８の何れか１項に記載のＵＥ（１４００）であって、前記ＵＥは、前記ネットワークから受信された以下のパラメータ、すなわち
Ｓセル測定サイクルと、
間欠受信（ＤＲＸ）サイクル周期と、
復調参照信号（ＤＲＳ）機会周期と、
ＳＳ／ＰＢＣＨブロック測定タイミング設定（ＳＭＴＣ）周期と、
のうちの１つ以上に基づいて、前記受信機活動率を決定するように構成される、ＵＥ（１４００）。
【請求項４０】
請求項２６乃至３９の何れか１項に記載のＵＥ（１４００）であって、前記ＵＥは、前記受信機活動率に基づいて、前記Ｓセルによって送信された信号に対して１回以上の測定を実行する（７２０）ようにさらに構成される、ＵＥ（１４００）。
【請求項４１】
プライマリ・サービング・セル（ＰＳＣ）と、少なくとも１つの選択的にアクティブ化されたセカンダリ・セル（Ｓセル）とを介して、１つ以上のユーザ機器（ＵＥ）と通信するように構成されたネットワーク・ノード（１５００）であって、前記ネットワーク・ノードは、
前記１つ以上のＵＥによる前記少なくとも１つのＳセルのアクティブ化をサポートするために必要な受信機活動率を決定すること（１３１０）と、
前記受信機活動率に関連する１つ以上のパラメータを前記１つ以上のＵＥへ送信すること（１３２０）と、
前記１つ以上のＵＥのうちの特定のＵＥへ、前記少なくとも１つのＳセルのうちの特定のＳセルをアクティブ化する要求を送信すること（１３４０）と、
前記特定のＵＥから、前記特定のＳセルに関する第２有効測定報告を受信すること（１３５０）と、を行うようにさらに構成される、ネットワーク・ノード（１５００）。
【請求項４２】
請求項４１に記載のネットワーク・ノード（１５００）であって、前記特定のＳセルをアクティブ化する要求を送信すること（１３４０）と、前記第２有効測定報告を受信すること（１３５０）との間の第１持続時間は、前記ＵＥへ送信された前記１つ以上のパラメータの関数である、ネットワーク・ノード（１５００）。
【請求項４３】
請求項４１又は４２に記載のネットワーク・ノード（１５００）であって、前記ネットワーク・ノードは、前記特定のＳセルをアクティブ化する前記要求を前記特定のＵＥへ送信すること（１３４０）の前に、前記特定のＵＥから前記特定のＳセルに関する第１有効測定報告を受信する（１３３０）ようにさらに構成され、前記第１持続時間はまた、前記第１有効測定報告を受信すること（１３３０）と、前記特定のＳセルをアクティブ化する前記要求を送信すること（１３４０）との間の第２持続時間の関数である、ネットワーク・ノード（１５００）。
【請求項４４】
請求項４３に記載のネットワーク・ノード（１５００）であって、
前記第２持続時間が、前記受信機活動率の関数である第１閾値（Ｔ０）よりも大きいならば、前記第１持続時間は、第１値以下であり、
そうでないならば、前記第１持続時間は、前記第１値よりも小さい第２値以下である、ネットワーク・ノード（１５００）。
【請求項４５】
請求項４４に記載のネットワーク・ノード（１５００）であって、前記第２継続時間がＴ０以下であるならば、前記第１継続時間は、
前記受信機活動率が第２閾値（Ｔ１）よりも大きいならば、前記第２値以下であり、
そうでないならば、前記第２値よりも小さい第３値以下である、ネットワーク・ノード（１５００）。
【請求項４６】
請求項４１乃至４５の何れか１項に記載のネットワーク・ノード（１５００）であって、前記１つ以上のパラメータは、以下のもの、すなわち
Ｓセル測定サイクルと、
間欠受信（ＤＲＸ）サイクル周期と、
復調参照信号（ＤＲＳ）機会周期と、
ＳＳ／ＰＢＣＨブロック測定タイミング設定（ＳＭＴＣ）周期と、
のうちの何れかを有する、ネットワーク・ノード（１５００）。
【発明の詳細な説明】
【技術分野】
【０００１】
本出願は一般に、ワイヤレス通信システム及び方法の分野に関し、より具体的に、ワイヤレス・デバイスとワイヤレス・ネットワークとの間で通信するために使用されるキャリア・アグリゲーション（ＣＡ）構成及びデュアル・コネクティビティ（ＤＣ）構成におけるセカンダリ・セル（Ｓセル）のアクティブ化を改善するデバイス、方法及びコンピュータ可読媒体に関する。
【背景技術】
【０００２】
ロング・ターム・エボリューション（ＬＴＥ）は、第３世代パートナーシップ・プロジェクト（３ＧＰＰ）内で開発され、発展型ＵＴＲＡＮ（Ｅ‐ＵＴＲＡＮ）としても知られるリリース８及び９で最初に標準化された、いわゆる第４世代（４Ｇ）無線アクセス技術の総称である。ＬＴＥは、米国の７００ＭＨｚ帯を含む様々な免許周波数帯を対象としている。ＬＴＥは、発展型パケット・コア（ＥＰＣ）ネットワークを含む、一般にシステム・アーキテクチャ・エボリューション（ＳＡＥ）と呼ばれる非無線側面に対する改善を伴う。ＬＴＥは、その後のリリースを通じて進化し続けている。リリース１１の特徴の１つは、発展型物理ダウンリンク制御チャネル（ｅＰＤＣＣＨ）であり、制御チャネル・リソースの容量の増加及び空間的再利用の改善、セル間干渉協調（ＩＣＩＣ）の改善、及び制御チャネルのためのアンテナ・ビームフォーミング及び／または送信ダイバーシチのサポートを目的としている。
【０００３】
さらに、ＬＴＥリリース１０（リリース１０）は、２０ＭＨｚを超える帯域幅をサポートする。リリース１０の重要な要件の１つは、ＬＴＥリリース８との後方互換性を保証することである。これは、スペクトル互換性も含む。このように、（例えば、２０ＭＨｚよりもより広い）広帯域ＬＴＥリリース１０キャリアは、ＬＴＥリリース８端末へのいくつかのキャリアとして現れる。このような各キャリアは、コンポーネント・キャリア（ＣＣ）と呼ばれうる。レガシー端末についてもワイド・キャリアの効率的な使用のために、レガシー端末は、広帯域ＬＴＥリリース１０キャリアのすべての部分においてスケジュールされうる。これを達成する１つの例示的な方法はキャリア・アグリゲーション（ＣＡ）によるものであり、これによって、ＬＴＥリリース１０端末は、リリース８キャリアと同じ構造をそれぞれが有する複数のＣＣを受信できる。
【０００４】
ＣＡの一例が図４に示されている。この例で、基地局１００（例えば、ｅノードＢ又は略してｅＮＢ）は、図中のＰセル１、Ｓセル２及びＳセル３とラベル付けされた３つの異なるセルを使用して、ワイヤレス・デバイス１０２のようなユーザ機器（ＵＥ）にサービス又はカバレッジを提供する。これらのセルにおけるカバレッジは、３つの異なるコンポーネント・キャリアＣＣ１、ＣＣ２及びＣＣ３によってそれぞれ提供される。この構成は単に説明的な例であり、任意の数のキャリア及びセルを使用するＣＡ構成が採用されてもよいことに留意されたい。
【０００５】
ＬＴＥの文脈では、プライマリ・セル（Ｐセル、例えば、Ｐセル１）は、データ及び制御シグナリングの両方がＰセルを介して送信されうるようにワイヤレス・デバイスにサービス提供する「メイン」セルとして規定され、一方、１つ以上の補助セル又はセカンダリ・セル（Ｓセル、例えば、Ｓセル２及びＳセル３）は通常、データのみを送信するために使用され、Ｓセルはより大きなデータ・スループットを可能にするために追加の帯域幅を提供する。ＣＡ対応ＵＥは、常にアクティブ化されるＰセル（例えば、Ｐセル１）と、動的にアクティブ化又は非アクティブ化されうる１つ以上のＳセル（例えば、Ｓセル２及び／又はＳセル３）とを割り当てられうる。
【０００６】
集約されるＣＣの数、ならびに個々のＣＣの帯域幅は、アップリンクとダウンリンクとで異なってもよい。対称構成とはダウンリンク及びアップリンクにおけるＣＣの数が同じである場合を指し、非対称構成とはＣＣの数が異なる場合を指す。セル内に構成されるＣＣの数は端末によって見られるＣＣの数とは異なりうることに留意することが重要である。セルが同じ数のアップリンクＣＣ及びダウンリンクＣＣで構成されていても、端末は例えば、アップリンクＣＣよりも多くのダウンリンクＣＣをサポートできる。
【０００７】
ＵＥはＲＲＣ接続モードで、信号電力及び品質（例えば、ＲＳＲＰ及びＲＳＲＱ）の周期的なセル・サーチ及び測定を実行できる。ＵＥは新しい隣接セルを検出し、既に検出されたセルを追跡及び監視する役割を担う。検出されたセル及び関連する測定値は、ネットワークへ報告される。ネットワークへの報告は、特定のイベントに基づいて周期的又は非周期的に設定されうる。このような報告は一般に、モビリティ測定報告と呼ばれ、チャネル状態情報（ＣＳＩ）を含む。これらの報告は例えば、ＵＥのＣＡ構成におけるＳセルの動的アクティブ化又は非アクティブ化に関する決定を行うために使用されうる。ＬＴＥリリース１０では、ダウンリンク・チャネルのＣＳＩを推定するために、ＣＳＩ固有の参照シンボル・シーケンス（ＣＳＩ‐ＲＳとして知られる）が導入された。ＣＳＩ‐ＲＳを測定することによって、ＵＥは無線伝搬チャネル及びアンテナ・ゲインを含む実効ダウンリンク・チャネルを推定できる。
【０００８】
ＬＴＥにおいて、Ｓセル・アクティブ化時間は、時分割複信（ＴＤＤ）構成及びマルチキャスト・ブロードキャスト単一周波数ネットワーク（ＭＢＳＦＮ）サブフレームを考慮する場合に、５ミリ秒（ｍｓ）ごとのセル固有参照信号（ＣＲＳ）、プライマリ同期チャネル（ＰＳＳ）及びセカンダリ同期チャネル（ＳＳＳ）の存在に基づく。ＵＥは、適切なゲインを探索するためにこれらの信号を使用し（「ゲイン探索」）、Ｓセルの存在を確認し、これと時間及び周波数を同期させ、ＣＳＩ（及び／又はＣＳＩを導出できるＲＳＲＰ、ＲＳＲＱのようなパラメータ）を測定する。その後、ＣＳＩはネットワークへ（例えば、サービング基地局又はｅＮＢへ）報告され得、ネットワークは、これを使用して、動的アクティブ化決定を行うことができる。例えば、測定報告のＣＳＩは、ランク・インジケータ（ＲＩ）、プリコーディング・マトリクス・インジケータ（ＰＭＩ）及びチャネル品質インジケータ（ＣＱＩ）のうちの少なくとも１つを含みうる。
【０００９】
ＬＴＥゲイン探索は、電力測定のために４個のＯＦＤＭシンボル（例えば、ＲＳＳＩ）で拡散されたＣＲＳを使用して、１つのサブフレームに基づいており、これに基づいて、ＵＥの低雑音増幅器（ＬＮＡ）、可変ゲイン増幅器（ＶＧＡ）及びデジタル・ゲイン（もしあれば）のゲイン設定を調整及び／又は決定されうる。これらの調整された設定に基づいて、適切なゲイン設定が見つかるまで繰り返して、新しい電力測定が実行されうる。そうであっても、ｅＮＢによって実行されるスケジューリングにおける負荷分散を容易にするために、比較的短いＳセル・アクティブ化時間が必要とされる。ＬＴＥにおいて、ＵＥは、「既知の」ＳセルについてのＣＳＩを報告するために２４個のサブフレームを許可され、「未知の」ＳセルについてのＣＳＩを報告するために３４個のサブフレームを許可される。Ｓセルの文脈において、「既知」及び「未知」という用語は、Ｓセルに関する特定のＳセルのタイミング及び／又は同期状態についてのＵＥの知識を指す。
【００１０】
ＬＴＥは主にユーザ間通信のために設計されたが、５Ｇ（「ＮＲ」とも呼ばれる）セルラ・ネットワークは高いシングルユーザ・データレート（例えば、１Ｇｂ／ｓ）と、周波数帯域幅を共有する多くの異なるデバイスからの短いバースト送信を含む大規模なマシン間通信との両方をサポートすることが想定されている。５Ｇ無線標準（「ニュー・ラジオ」又は「ＮＲ」とも呼ばれる）は現在、ｅＭＢＢ（発展型モバイル・ブロード・バンド）及びＵＲＬＬＣ（超信頼性低レイテンシ通信）を含む広範囲のデータ・サービスを対象としている。これらのサービスは、異なる要件及び目的を有しうる。例えば、ＵＲＬＬＣは極めて厳格な誤り及びレイテンシ要件、例えば、１０−５ほどの低さの誤り確率又は１ｍｓ以下のエンド・ツー・エンド・レイテンシを有するデータ・サービスを提供することを意図している。ｅＭＢＢについて、レイテンシ及び誤り確率に関する要件はそれほど厳しくなくてもよいが、必要なサポートされるピークレート及び／又はスペクトル効率はより高くなりうる。
【００１１】
ＮＲ  ＣＡ構成では、Ｓセル・アクティブ化においてとられるステップがＬＴＥにおけるものと本質的に同じでありうる。しかし、アクティブ化手順が基づく信号（すなわち、ＵＥが測定する信号）はＬＴＥにおけるものよりもはるかに疎に、又はより長い期間にわたって発生しうる。特に、これらの信号は４個の隣接ＯＦＤＭシンボルのＳＳ／ＰＢＣＨブロック（ＳＳＢ）に束ねられ、各ブロックはＰＳＳ、ＳＳＳ、復調参照信号（ＤＭ‐ＲＳ）及び物理ブロードキャスト・チャネル（ＰＢＣＨ）の組み合わせを備える。ネットワークによって提供されるＳＳＢ測定タイミング設定（ＳＭＴＣ）は、１６０ｍｓまででありうる。使用中のサブキャリア間隔（ＳＣＳ）に応じて、ＮＲシンボル長もＬＴＥよりかなり短くなりうる。したがって、ゲイン探索がいくつかのＳＭＴＣを必要とする可能性がある。
【００１２】
ＮＲのための３ＧＰＰ標準化作業において、いくつかの企業は８〜９ＳＭＴＣサイクルのＳセル・アクティブ化時間を提案しており、１６０ｍｓのＳＭＴＣについて１．２８〜１．４４秒の非常に長いアクティブ化時間につながる。これは、要求される負荷分散などについてキャリアを使用することが困難であるため、スケジューリングの観点から非常に望ましくない。可能な回避策は、ＮＲ基地局（「ｇＮＢ」と呼ばれる）がＳセルをアクティブ化し、ＵＥがＲＲＣ接続状態を離れるまで、それがアクティブ化されたままにすることである。しかし、これはＵＥ電力消費の著しい増加につながる。
【発明の概要】
【００１３】
従って、ＮＲ  ｇＮＢにおけるタイムリーな負荷分散を容易にするが、ＵＥ電力消費の著しい増加及びその結果としてのＵＥバッテリ寿命の減少をもたらさないＮＲ  Ｓセル・アクティブ化のための改良技術が必要である。
【００１４】
このような争点及び／又は問題のうちの少なくともいくつかに対処するために、本開示による装置、デバイス、方法、及びコンピュータ可読媒体のある例示的な実施形態は、Ｓセル測定を実行するためのユーザ機器（ＵＥ）活動率に応じて、Ｓセル・アクティブ化について異なる手順を利用することができ、それによって、既存の技法と比較して、キャリア・アグリゲーション（ＣＡ）シナリオ及びデュアル・コネクティビティ（ＤＣ）シナリオにおけるＵＥ及びネットワークの両方の性能を改善する。本開示による例示的な方法、システム、デバイス及びコンピュータ可読媒体は、各Ｓセルについての測定条件に効率的に適応することによって、これらのシナリオにおける全体的なＳセル・アクティブ化時間及びＵＥ電力消費を低減することができ、それによって、本書で説明される例示的な応用を含む様々な既知の応用において、従来の方法、技術及びシステムを大幅に上回る性能を発揮する。
【００１５】
ある例示的な実施形態は、ユーザ機器（ＵＥ）がワイヤレス・ネットワークにおいてＵＥのプライマリ・サービング・セル（ＰＳＣ）とともに動作するためにセカンダリ・セル（Ｓセル）をアクティブ化するための方法及び／又は手順を含む。例示的な方法及び／又は手順は、ＵＥのための受信機活動率を決定することを含みうる。例示的な方法及び／又は手順はまた、ＰＳＣから、Ｓセルを識別するアクティブ化要求を受信することを含みうる。例示的な方法及び／又は手順はまた、受信機活動率に基づいてＳセルをアクティブ化することを含みうる。
【００１６】
いくつかの実施形態では、受信機活動率に基づいてＳセルをアクティブ化することは、Ｓセルによって送信されたＵＥの信号の最後の測定からの持続時間Ｔを決定することと、Ｔが、受信機活動率の関数である第１閾値Ｔ０よりも大きいかどうかを決定することと、ＴがＴ０よりも大きいならば、第１アクティブ化手順に従ってＳセルをアクティブ化することと、そうでないならば、第２アクティブ化手順に従ってＳセルをアクティブ化することとのような様々な動作を含みうる。いくつかの実施形態では、第２アクティブ化手順は、第２通常アクティブ化手順及び第２高速アクティブ化手順を含んでもよく、第２通常アクティブ化手順の持続時間は第２高速アクティブ化手順の持続時間よりも長い。いくつかの実施形態では、第１アクティブ化手順の持続時間は、第２通常アクティブ化手順の持続時間よりも長くてもよい。
【００１７】
他の実施形態は、プライマリ・サービング・セル（ＰＳＣ）及び少なくとも１つの選択的にアクティブ化されたセカンダリ・セル（Ｓセル）を介して１つ以上のユーザ機器（ＵＥ）と通信するように構成されたネットワーク・ノードによって実行される例示的な方法及び／又は手順を含む。例示的な方法及び／又は手順は、１つ以上のＵＥによる少なくとも１つのＳセルのアクティブ化をサポートするために必要な受信機活動率を決定することを含みうる。例示的な方法及び／又は手順はまた、受信機活動率に関連する１つ以上のパラメータを１つ以上のＵＥへ送信することを含みうる。例示的な方法及び／又は手順はまた、１つ以上のＵＥのうちの特定のＵＥへ、少なくとも１つのＳセルのうちの特定のＳセルをアクティブ化する要求を送信することを含みうる。例示的な方法及び／又は手順はまた、特定のＵＥから、特定のＳセルに関する第２有効測定報告を受信することを含みうる。
【００１８】
いくつかの実施形態では、特定のＳセルをアクティブ化する要求を送信することと、第２有効測定報告を受信することとの間の第１持続時間は、ＵＥに送信される１つ以上のパラメータの関数でありうる。いくつかの実施形態では、例示的な方法及び／又は手順はまた、特定のＳセルをアクティブ化する要求を特定のＵＥへ送信する前に、特定のＵＥから特定のＳセルに関する第１有効測定報告を受信することを含みうる。このような実施形態では、第１持続時間は、第１有効測定報告を受信することと、特定Ｓセルをアクティブ化する要求を送信することとの間の第２持続時間の関数でありうる。
【００１９】
他の例示的な実施形態は、上述の例示的な方法及び／又は手順の様々なものに対応する動作を実行するように構成及び／又は配置されたＵＥ及びネットワーク・ノードを含む。他の例示的な実施形態は、ＵＥ又はネットワーク・ノードを含む少なくとも１つのプロセッサによって実行される場合に、上述の例示的な方法及び／又は手順の様々なものに対応する動作を実行するようにＵＥ又はネットワーク・ノードを構成するプログラム命令を記憶する非一時的なコンピュータ可読媒体を含む。
【図面の簡単な説明】
【００２０】
本開示のさらなる目的、特徴及び利点は、例示的な実施形態を示す添付の図面と併せて解釈される以下の詳細な説明から明らかになるだろう。
【図１】３ＧＰＰによって標準化されたロング・ターム・エボリューション（ＬＴＥ）発展型ＵＴＲＡＮ（Ｅ‐ＵＴＲＡＮ）及び発展型パケット・コア（ＥＰＣ）ネットワークの例示的なアーキテクチャの高レベルのブロック図である。
【図２Ａ】例示的なＥ‐ＵＴＲＡＮアーキテクチャの構成要素、プロトコル及びインタフェースに関する高レベルのブロック図である。
【図２Ｂ】ユーザ機器（ＵＥ）とＥ‐ＵＴＲＡＮとの間の無線（Ｕｕ）インタフェースの制御プレーン部分の例示的なプロトコル・レイヤのブロック図である。
【図２Ｃ】ＰＨＹレイヤの観点からの例示的なＬＴＥ無線インタフェース・プロトコル・アーキテクチャのブロック図である。
【図３Ａ】、
【図３Ｂ】周波数分割複信（ＦＤＤ）動作のために使用されるＬＴＥダウンリンク無線インタフェースにおけるリソースの配置を示す例示的な図である。
【図４】本開示の１つ以上の例示的な実施形態とともに使用可能な、Ｐセル及びＳセルの例示的なキャリア・アグリゲーション（ＣＡ）配置を示すブロック図である。
【図５】本開示の１つ以上の例示的な実施形態によるユーザ機器（ＵＥ）のための例示的なＬＴＥ及び／又はＮＲ無線周波数（ＲＦ）受信機のブロック図である。
【図６】本開示の１つ以上の例示的な実施形態とともに使用可能なＮＲ  ＳＳ／ＰＢＣＨブロック（ＳＳＢ）の様々な例示的な時間‐周波数構成を示す。
【図７】本開示の１つ以上の例示的な実施形態によるユーザ機器（ＵＥ）ゲイン状態の信頼性に基づいてＳセル・アクティブ化手順を選択するための例示的な方法及び／又は手順のフロー図である。
【図８】本開示の１つ以上の例示的な実施形態によるＵＥにおいて様々なＳセル・アクティブ化手順を実行するための例示的な方法及び／又は手順のフロー図である。
【図９】本開示の１つ以上の例示的な実施形態によるブラインドＳセル・アクティブ化手順の動作を示す例示的な時間‐周波数グリッドである。
【図１０】本開示の１つ以上の例示的な実施形態による様々なサブキャリア間隔（ＳＣＳ）に関するＳセル・タイミング不確実性を示す例示的な時間‐周波数グリッドである。
【図１１】本開示の１つ以上の例示的な実施形態による通常Ｓセル・アクティブ化手順の動作を示す例示的な時間‐周波数グリッドである。
【図１２】本開示の１つ以上の例示的な実施形態による高速Ｓセル・アクティブ化手順の動作を示す例示的な時間‐周波数グリッドである。
【図１３】本開示の１つ以上の例示的な実施形態によるネットワーク・ノードにおいて様々なＳセル・アクティブ化手順を実行するための例示的な方法及び／又は手順のフロー図である。
【図１４】本開示の１つ以上の例示的な実施形態による構成可能な例示的なワイヤレス・デバイス又はユーザ機器（ＵＥ）のブロック図である。
【図１５】本開示の１つ以上の例示的な実施形態による構成可能な例示的なネットワーク・ノード（例えば、基地局、ｅＮＢ又はｇＮＢ）のブロック図である。
【図１６】本開示の１つ以上の例示的な実施形態によるホスト・コンピュータとユーザ機器との間でオーバ・ザ・トップ（ＯＴＴ）データ・サービスを提供するために使用可能な例示的なネットワーク構成のブロック図である。  以下、図面を参照して本開示を詳細に説明するが、本開示は例示的な実施形態に関連してそのように行われ、図面又は添付の例示的な実施形態に示される特定の実施形態によって限定されない。
【発明を実施するための形態】
【００２１】
ＬＴＥ及びＳＡＥを含むネットワークの全体的な例示的なアーキテクチャが図１に示されている。Ｅ‐ＵＴＲＡＮ１００は、ｅＮＢ１０５、１１０及び１１５のような１つ以上の発展型ノードＢ（ｅＮＢ）と、ＵＥ１２０のような１つ以上のユーザ機器（ＵＥ）とを備える。３ＧＰＰ標準内で使用されるように、「ユーザ機器」又は「ＵＥ」は、第３世代（「３Ｇ」）及び第２世代（「２Ｇ」）の３ＧＰＰ無線アクセス・ネットワークとして、Ｅ‐ＵＴＲＡＮならびにＵＴＲＡＮ及び／又はＧＥＲＡＮを含む、３ＧＰＰ標準に準拠したネットワーク機器と通信できる任意のワイヤレス通信デバイス（例えば、スマートフォン、コンピューティング・デバイス、測定デバイスなど）を意味する。
【００２２】
３ＧＰＰによって規定されるように、Ｅ‐ＵＴＲＡＮ１００は、無線ベアラ制御、無線アドミッション制御、無線モビリティ制御、スケジューリング、アップリンク及びダウンリンクにおけるＵＥへのリソースの動的割当て、ならびにＵＥとの通信のセキュリティを含む、ネットワーク内のすべての無線関連機能を担当する。これらの機能は、ｅＮＢ１０５、１１０及び１１５のようなｅＮＢに存在する。Ｅ‐ＵＴＲＡＮ内のｅＮＢは、図１に示されるように、Ｘ１インタフェースを介して互いに通信する。ｅＮＢは、ＥＰＣ１３０へのＥ‐ＵＴＲＡＮインタフェース、具体的には図１にＭＭＥ／Ｓ‐ＧＷ１３４及び１３８として集合的に示される、モビリティ管理エンティティ（ＭＭＥ）及びサービング・ゲートウェイ（ＳＧＷ）へのＳ１インタフェースも担当する。一般的に言えば、ＭＭＥ／Ｓ‐ＧＷは、ＵＥの全体的な制御と、ＵＥとＥＰＣの残りの部分との間のデータ・フローとの両方を扱う。より具体的に、ＭＭＥは、非アクセス層（ＮＡＳ）プロトコルとして知られる、ＵＥとＥＰＣとの間のシグナリング・プロトコルを処理する。Ｓ‐ＧＷは、ＵＥとＥＰＣとの間のすべてのインターネット・プロコトル（ＩＰ）データ・パケットを処理し、ＵＥがｅＮＢ１０５、１１０及び１１５のようなｅＮＢ間を移動する場合に、データ・ベアラのローカル・モビリティ・アンカとして機能する。
【００２３】
図２Ａは、構成エンティティ、すなわちＵＥ、Ｅ‐ＵＴＲＡＮ及びＥＰＣ、ならびにアクセス層（ＡＳ）及び非アクセス層（ＮＡＳ）への高レベルな機能分割に関して、例示的なＬＴＥアーキテクチャの高レベルのブロック図を示す。図１はまた、２つの特定のインタフェース点、すなわち、Ｕｕ（ＵＥ／Ｅ‐ＵＴＲＡＮ無線インタフェース）とＳ１（Ｅ‐ＵＴＲＡＮ／ＥＰＣインタフェース）を示し、それぞれ、特定のプロトコルの集合、すなわち無線プロトコルとＳ１プロトコルとを使用する。２つのプロトコルのそれぞれは、ユーザ・プレーン（又は「Ｕプレーン」）及び制御プレーン（又は「Ｃプレーン」）プロトコル機能にさらにセグメント化されうる。Ｕｕインタフェースで、Ｕプレーンはユーザ情報（例えば、データ・パケット）を伝え、ＣプレーンはＵＥとＥ‐ＵＴＲＡＮとの間で制御情報を伝える。
【００２４】
図２Ｂは、物理（ＰＨＹ）レイヤ、媒体アクセス制御（ＭＡＣ）レイヤ、無線リンク制御（ＲＬＣ）レイヤ、パケット・データ・コンバージェンス・プロトコル（ＰＤＣＰ）レイヤ及び無線リソース制御（ＲＲＣ）レイヤを含むＵｕインタフェース上の例示的なＣプレーン・プロトコル・スタックのブロック図を示す。ＰＨＹレイヤは、ＬＴＥ無線インタフェース上のトランスポート・チャネルを介してデータを転送するためにどのように、またどのような特性が使用されるかに関係する。ＭＡＣレイヤは、論理チャネルでのデータ転送サービスを提供し、ＰＨＹトランスポート・チャネルに論理チャネルをマッピングし、これらのサービスをサポートするためにＰＨＹリソースを再配分する。ＲＬＣレイヤは、上位層へ又は上位層から転送されるデータの誤り検出及び／又は訂正、連結、セグメント化及び再組み立て、並べ替えを提供する。ＰＨＹレイヤ、ＭＡＣレイヤ及びＲＬＣレイヤは、Ｕプレーン及びＣプレーンの両方に対して同一の機能を実行する。ＰＤＣＰレイヤは、Ｕプレーン及びＣプレーンの両方のための暗号化／復号及び完全性保護、並びにヘッダ圧縮のようなＵプレーンのための他の機能を提供する。
【００２５】
図２Ｃは、ＰＨＹの観点からの例示的なＬＴＥ無線インタフェース・プロトコル・アーキテクチャのブロック図を示す。様々なレイヤ間のインタフェースは、図２Ｃの楕円で示されているサービス・アクセス・ポイント（ＳＡＰ）によって提供される。ＰＨＹレイヤは、上記で説明したＭＡＣ及びＲＲＣプロトコル・レイヤとやり取りする。ＭＡＣは、転送された情報のタイプを特徴とする異なる論理チャネルをＲＬＣプロトコル層（これも上述）に提供するが、ＰＨＹは、情報が無線インタフェースを介して転送される方法を特徴とするトランスポート・チャネルをＭＡＣに提供する。このトランスポート・サービスを提供する際に、ＰＨＹは、誤り検出及び訂正、符号化されたトランスポート・チャネルの物理チャネルへのレートマッチング及びマッピング、電力重み付け、変調、及び物理チャネルの復調、送信ダイバーシチ、ビームフォーミング多入力多出力（ＭＩＭＯ）アンテナ処理、及びＲＲＣのような上位層への無線測定の提供を含む様々な機能を実行する。ＬＴＥ  ＰＨＹによって提供されるダウンリンク（すなわち、ｅＮＢからＵＥへの）物理チャネルは、物理ダウンリンク共有チャネル（ＰＤＳＣＨ）、物理マルチキャスト・チャネル（ＰＭＣＨ）、物理ダウンリンク制御チャネル（ＰＤＣＣＨ）、リレー物理ダウンリンク制御チャネル（Ｒ‐ＰＤＣＣＨ）、物理ブロードキャスト・チャネル（ＰＢＣＨ）、物理制御フォーマット・インジケータ・チャネル（ＰＣＦＩＣＨ）、及び物理ハイブリッドＡＲＱインジケータ・チャネル（ＰＨＩＣＨ）を含む。
【００２６】
ＬＴＥ  ＰＨＹのための多重アクセス方式は、ダウンリンクにおける周期プレフィックス（ＣＰ）を有する直交周波数分割多重（ＯＦＤＭ）と、アップリンクにおける周期プレフィックスを有するシングルキャリア周波数分割多重アクセス（ＳＣ‐ＦＤＭＡ）に基づいている。ペアになったスペクトル及びペアになっていないスペクトルでの送信をサポートするために、ＬＴＥ  ＰＨＹは、周波数分割複信（ＦＤＤ）（全二重及び半二重動作の両方を含む）及び時分割複信（ＴＤＤ）の両方をサポートする。図３Ａは、ＦＤＤダウンリンク（ＤＬ）動作に使用される無線フレーム構造を示す。無線フレームは、１０ｍｓの固定持続時間を有し、それぞれが０．５ｍｓの固定持続時間を有する、０〜１９とラベル付けされた２０個のスロットからなる。１ｍｓサブフレームは、サブフレームｉがスロット２ｉ及び２ｉ＋１から成る２つの連続したスロットを含む。それぞれの例示的なダウンリンク・スロットは、ＮＤＬｓｙｍｂ個のＯＦＤＭシンボルからなり、それぞれはＮｓｃ個のＯＦＤＭサブキャリアからなる。ＮＤＬｓｙｍｂの例示的な値は、１５ｋＨｚのサブキャリア帯域幅について、（通常のＣＰで）７又は（拡張長ＣＰで）６でありうる。Ｎｓｃの値は、利用可能なチャネル帯域幅に基づいて構成可能である。当業者はＯＦＤＭの原理に精通しているので、さらなる詳細はこの説明では省略される。例示的なアップリンク・スロットは、図３に示されるのと同様に構成されうるが、ＮＵＬｓｙｍｂ個のＯＦＤＭシンボルを備え、その各々はＮｓｃ個のＯＦＤＭサブキャリアから構成される。
【００２７】
図３Ａに示すように、特定のシンボルにおける特定のサブキャリアの組み合わせは、リソース要素（ＲＥ）として知られている。各ＲＥは、そのＲＥに使用される変調及び／又はビットマッピング・コンステレーションのタイプに応じて、特定の数のビットを送信するために使用される。例えば、いくつかのＲＥは、ＱＰＳＫ変調を使用して２ビットを搬送でき、他のＲＥは、１６又は６４ＱＡＭを使用してそれぞれ４又は６ビットを搬送できる。また、ＬＴＥ  ＰＨＹの無線リソースは、物理リソース・ブロック（ＰＲＢ）によって規定される。ＰＲＢは、スロットの持続期間にわたってＮＲＢｓｃ個のサブキャリアに広がり（すなわち、ＮＤＬｓｙｍｂ個のシンボル）、ここで、ＮＲＢｓｃは一般に（１５ｋＨｚサブキャリア帯域幅で）１５又は（７．５ｋＨｚサブキャリア帯域幅で）２４である。サブフレーム全体（すなわち、２ＮＤＬｓｙｍｂ個のシンボル）の間に同じＮＲＢｓｃ個のサブキャリアに広がるＰＲＢは、ＰＲＢペアとして知られている。したがって、ＬＴＥ  ＰＨＹダウンリンクのサブフレーム内で利用可能なリソースは、ＮＤＬＲＢ個のＰＲＢペアを含み、これらのそれぞれは２ＮＤＬｓｙｍｂ・ＮＲＢｓｃ個のＲＥを含む。通常のＣＰ及び１５ＫＨｚのサブキャリア帯域幅について、ＰＲＢペアは１６８個のＲＥを含む。
【００２８】
ＰＲＢの１つの例示的な特性は、連番のＰＲＢ（例えば、ＰＲＢｉとＰＲＢｉ＋１）がサブキャリアの連続ブロックを備えることである。例えば、通常のＣＰ及び１５ＫＨｚサブキャリア帯域幅では、ＰＲＢ０はサブキャリア０〜１１を備え、ＰＲＢ１はサブキャリア１２〜２３を備える。ＬＴＥ  ＰＨＹリソースはまた、ＰＲＢと同じサイズであるが、ローカライズされたタイプ又は分散されたタイプのいずれであってもよい仮想リソース・ブロック（ＶＲＢ）に関して規定されうる。ローカライズされたＶＲＢは、ＶＲＢ  ｎＶＲＢがＰＲＢ  ｎＰＲＢ＝ｎＶＲＢに対応するようにＰＲＢに直接的にマッピングされうる。一方、分散されたＶＲＢは、３ＧＰＰ技術仕様（ＴＳ）３６．２１４に記載されているように、又は他のように当業者に知られているように、様々な規則に従って非連続ＰＲＢにマッピングされうる。ただし、この開示では、「ＰＲＢ」という用語が物理リソース・ブロック及び仮想リソース・ブロックの両方を指すために使用されるものとする。さらに、「ＰＲＢ」という用語は、別段の指定がない限り、サブフレームの持続時間中のリソース・ブロック、すなわちＰＲＢペアを指すために以下で使用されるものとする。
【００２９】
上述のように、ＬＴＥ  ＰＨＹは、様々なダウンリンク及びアップリンク物理チャネルを図３Ａに示すリソースにマッピングする。例えば、ＰＤＣＣＨは、スケジューリング割り当て、アップリンク・チャネルについてのチャネル品質フィードバック（例えば、ＣＳＩ）、及び他の制御情報を搬送する。同様に、物理アップリンク制御チャネル（ＰＵＣＣＨ）は、スケジューリング要求、ダウンリンク・チャネルについてのＣＳＩ、ハイブリッドＡＲＱフィードバック、及び他の制御情報のようなアップリンク制御情報を搬送する。ＰＤＣＣＨとＰＵＣＣＨとの両方は、１つ又はいくつかの連続する制御チャネル要素（ＣＣＥ）のアグリゲーションで送信され、ＣＣＥはリソース要素グループ（ＲＥＧ）に基づいて図３Ａに示される物理リソースにマッピングされ、リソース要素グループ（ＲＥＧ）の各々は複数のＲＥから構成される。例えば、ＣＣＥは９個のＲＥＧから構成されてもよく、その各々は４個のＲＥから構成される。
【００３０】
図３Ｂは、ＣＣＥ及びＲＥＧを物理リソース、すなわちＰＲＢにマッピングできる１つの例示的な方法を示す。図３Ｂに示すように、ＰＤＣＣＨのＣＣＥを含むＲＥＧは、サブフレームの最初の３個のシンボルにマッピングされ得、残りのシンボルは、ユーザ・データを搬送するＰＤＳＣＨのような他の物理チャネルについて利用可能である。ＲＥＧの各々は、小さい破線の長方形によって表される４個のＲＥを含む。ＱＰＳＫ変調がＰＤＣＣＨについて使用されるので、図３Ｂの例示的な構成で、各ＲＥＧは８ビットを含み、各ＣＣＥは７２ビットを含む。図３Ｂに２つのＣＣＥが示されているが、ＣＣＥの数はユーザの数、測定の量、及び／又は制御信号などによって決定される必要なＰＤＣＣＨ容量に応じて変化しうる。さらに、ＲＥＧをＣＣＥにマッピングする他の方法は、当業者には明らかであろう。アップリンクに関して、ＰＵＣＣＨが特定のメッセージ内容に応じてＱＰＳＫ又はＢＰＳＫのいずれかを使用するため、ＣＣＥ当たりのビット数が変化することを除いて、ＰＵＣＣＨが同様に構成されうる。
【００３１】
リリース１１以降、３ＧＰＰ明細書は、前述のレガシーＰＤＣＣＨに加えて、発展型ＰＤＣＣＨ（ｅＰＤＣＣＨ）を含む。ｅＰＤＣＣＨは、制御チャネルリソースの容量を増加し、空間再利用を改善し、セル間干渉協調（ＩＣＩＣ）を改善し、制御チャネルについてアンテナ・ビームフォーミング及び／又は送信ダイバーシチ・サポートを追加することを意図する。リリース８  ＰＤＣＣＨとほぼ同様に、ｅＰＤＣＣＨは、１つ以上の発展型制御チャネル要素（ｅＣＣＥ）を集約することによって構築されうる。ｅＣＣＥは、１つ以上の発展型リソース要素グループ（ｅＲＥＧ）を備え、それぞれは１つ以上のＲＥを備える。例えば、４個のＲＥをそれぞれが有する９個のｅＲＥＧから構成されるｅＣＣＥは、ＣＣＥと同じ容量で構成されうる。しかし、ＣＣＥとは異なり、ｅＣＣＥは、様々な数及びサイズのｅＲＥＧを用いて柔軟に構成されうる。
【００３２】
さらに、ｅＰＤＣＣＨ（すなわち、ｅＣＣＥ）は、局所化された方法又は分散された方法のいずれかで、送信のためにＰＲＢにマッピングされうる。局所化されたマッピングは、周波数選択的なスケジューリング・ゲイン及びビームフォーミング・ゲインを提供し、一方、有効なチャネル状態情報が受信機に利用可能でない場合に、分散された送信は、周波数ダイバーシチを介してロバストなｅＰＤＣＣＨ送信を提供する。しかし、十分な周波数ダイバーシチを達成するために、各ｅＣＣＥは、物理リソース内のサブキャリアの範囲全体にわたって十分に分散された最小数のＰＲＢにマッピングされなければならない。
【００３３】
図５は、本開示の１つ以上の例示的な実施形態によるユーザ機器（ＵＥ）のための例示的なＬＴＥ及び／又はＮＲ無線周波数（ＲＦ）受信機のブロック図である。図５に示すように、ＲＥ信号（例えば、ＬＴＥ  ｅＮＢ又はＮＲ  ｇＮＢからの信号）は、アンテナによって拾われ、ＲＦフィルタを通され、低雑音増幅器（ＬＮＡ）によって増幅される。信号はミキサを通過し、ミキサは信号をベースバンドに変換（又は復調）し、ミキサは局部発振器によっても制御される。復調された信号は、所望のベースバンド信号以外の復調生成物を抑制するフィルタを通される。フィルタ処理されたベースバンド信号は、アナログ／デジタル・コンバータ（ＡＤＣ）によって実行されるサンプリング及びアナログ／デジタル変換に適した範囲内になるように信号の振幅を調整する可変ゲイン増幅器（ＶＧＡ）を通される。
【００３４】
ＬＮＡ及びＶＧＡは、部分的にＲＦ受信機に存在し、部分的にＲＦ受信機に結合されたベースバンド回路（図示せず）に存在しうる自動ゲイン制御（ＡＧＣ）機能によって制御されうる。ベースバンド回路は例えば、デジタル又は混合信号ベースバンド特定用途向け集積回路（ＡＳＩＣ）でありうる。ＲＦ受信機におけるＡＧＣ関連機能の例は、電力検出及びクリッピング／飽和検出を含む。ベースバンドにおけるＡＧＣ関連機能の例は、参照信号（ＲＳ）受信電力（ＲＳＲＰ）検出を含む。例示的な構成では、ＬＮＡは、２つ又は３つの動作点を利用でき、それぞれは特定のゲイン設定に基づく特定の受信信号電力範囲に適している。２つの動作点の場合に、動作点（又はゲイン設定）は、高ゲイン及び低ゲインと呼ばれうる。３つの動作点の場合に、これらは、それぞれ、高ゲイン、中ゲイン及び低ゲインと呼ばれうる。
【００３５】
受信信号電力範囲が未知の場合に、ＵＥはＡＤＣの後にかなりの受信電力があることを検出するまで、しかし飽和なしに、利用可能なゲイン設定を系統的にチェックできる。飽和の検出は、ＬＮＡが高すぎるゲインを提供していることを示すことができ、より低いゲインを有する動作点が選択されうる。一方、ＡＤＣ後に信号が低すぎることが検出されたならば、より高いゲインを有する動作ポイントが選択されうる。この手順は、簡単に上述された「ゲイン探索」に相当する。ゲイン探索は好ましくは信号が存在することが知られている場合に実行され、そうでなければ、ＬＮＡは、高すぎるゲインで構成されるかもしれず、受信信号が存在すると、これらの過剰増幅はクリッピング及び／又は飽和、信号歪み、及び情報の損失をもたらす可能性がある。
【００３６】
簡単に上述したＮＲ  ＳＳＢの例示的な構成を図６ａに示す。ＮＲ  ＳＳＢは、プライマリ同期信号（ＰＳＳ）、セカンダリ同期信号（ＳＳＳ）、物理ブロードキャスト・チャネル（ＰＢＣＨ）、及び復調参照シンボル（ＤＭ‐ＲＳ）を含む。図６ａにも示されているように、個々のＳＳＢは、ＰＲＢ内の４個の隣接するＯＦＤＭシンボルに広がっている。複数のＳＳＢは、半フレーム（例えば、５ｍｓ）内で送信されるＳＳＢバーストを含む。さらに、ハーフ・フレーム内で、図６ｂのＳＳＢインデックス０〜７で示されるように、異なるセル又は異なるビームについて複数のＳＳＢが送信されてもよい。バースト内のＳＳＢ位置の数は、特定のＮＲ無線インタフェース構成と同様に、周波数範囲（図６ｂに示すように０〜３又は０〜６ＧＨｚなど）に応じて異なる。ＳＳＢバースト（したがって個々のＳＳＢ）は、図６ｃに示すように５、１０、２０、４０、８０又は１６０ｍｓであってもよいＳＳＢ測定タイミング構成（ＳＭＴＣ）サイクルに従って送信される。
【００３７】
ＵＥがＳセル・アクティブ化要求を受信した場合に、ＳＳＢバースト内のＳＳＢの位置、ならびにＳＳＢの位置は、Ｐセル内のシグナリングを介してＵＥに既に知られている。それにもかかわらず、ＳＳＢは、（ＳＳＢが送信されないことをＵＥが通知されていない限り、）ＵＥがＮＲセル内に存在すると仮定できる唯一の信号を表す。
【００３８】
上述したように、ＮＲのための様々な既存の及び／又は提案された技術は、８〜９ＳＭＴＣサイクルのＳセル・アクティブ化時間を必要とし、１６０ｍｓの最大ＳＭＴＣに対して１．２８〜１．４４秒の非常に長いアクティブ化時間をもたらす。これは、要求される負荷分散などのためにキャリアを使用することが困難であるため、スケジューリングの観点から非常に望ましくない。やはり上述したように、ＵＥがＲＲＣ接続状態になった場合にＳセルをアクティブ化し、実際の必要性にかかわらず、ＵＥがＲＲＣ接続状態を離れるまでそれがアクティブ化されたままにすることによって、このような長いアクティブ化時間の影響を低減し、軽減し、及び／又は排除することが可能である。しかし、これは、ＵＥ自体に顕著な利点を提供することなく、Ｐセル及びＳセルの両方を監視する必要性に起因して、ＵＥ電力消費の著しい増加につながる。
【００３９】
これら及び他の例示的な問題及び／又は争点に対処するために、本開示の例示的な実施形態は、ＵＥ受信機のゲイン状態（例えば、ゲイン設定）の信頼性又は不確実性に応じて、ＮＲ  Ｓセル・アクティブ化のための異なるアクティブ化手順を適用できる。このような技術を用いて、（例えば、自動ゲイン制御（ＡＧＣ）と呼ばれる）有効なゲイン設定を決定するためにＵＥによって必要な時間は、ＬＴＥ  Ｓセル・アクティブ化手順で使用されるような従来の技術を適用することと比較して著しく低減されうる。従って、ＵＥ受信機のゲイン状態の信頼性への依存は、Ｓセルをアクティブ化するためにＵＥによって必要な時間を低減、改善、及び／又は最適化できる。例えば、Ｓセル・アクティブ化時間は、ゲイン状態の信頼性が低い場合よりも、ゲイン状態の信頼性が高い場合の方がより短い。いくつかの例示的な実施形態では、ゲイン状態の信頼性は、アクティブ化されるＳセルに関してＵＥが以前どのような頻度で及び／又はどれくらい最近に測定した又は同期した（例えば、タイミングを取得した）かに少なくとも基づいて決定されうる。この頻度又は最近さは、Ｓセル・アクティブ化の開始前のＳセルの参照信号の取得及び／又は測定のためのＵＥ受信機の活動率に依存しうる。
【００４０】
ＮＲ  Ｓセルのアクティブ化時間（例えば、平均アクティブ化時間）を低減することに加えて、このような新規な技術の例示的な利点は、ＮＲ  ｇＮＢによって提供されるＰセル及びＳセルにおいて、よりロバストなリソース利用及び／又はスケジューリングを含む。例示的な利点は、ゲイン探索の低減と、必要に応じてＳセルを迅速にアクティブ化及び非アクティブ化する能力との両方に起因する、ＵＥ電力消費の低減も含む。このような例示的な利点は特に、ＮＲ及び／又はＬＴＥ／ＬＴＥ‐Ａデバイス及びネットワークにおけるキャリア・アグリゲーション（ＣＡ）又はデュアル・コネクティビティ（ＤＣ）の動作に関して、ワイヤレス通信ネットワーク及びデバイスに対する特定の改善を構成する。
【００４１】
本書で開示される例示的な実施形態のより一般的な原理によれば、非アクティブ化された第２サービング・セル（例えば、Ｓセル）をアクティブ化するためのアクティブ化時間（Ｔａ）は、ＵＥがＳセルをアクティブ化するように構成される前の少なくとも期間（Ｔ０）中にＳセル上で測定を実行するために使用されるＵＥ受信機活動率（Ｒｒ）に依存しうる。より具体的に、ＴａはＲｒに反比例しうる。いくつかの実施形態では、ＵＥは、ネットワーク（例えば、ＵＥのＰＳＣ）から、活動率Ｒｒ（又はＲｒに関連する及び／又はＲｒを決定できる１つ以上のパラメータ）を受信できる。
【００４２】
本書に開示される例示的な実施形態は、ＵＥが少なくとも第１サービング・セル（「セル１」、プライマリ・サービング・セル（ＰＳＣ）又はＰセル）で構成され、第２サービング・セル（セル２）をアクティブ化するようにさらに構成されるシナリオに関し、Ｓセルをアクティブ化すること、ＰＳセルを追加することなどを含みうる。以下の議論において、「アクティブ化」という用語は、サービング・セルのアクティブ化、サービング・セルの追加、サービング・セルの構成などを指しうる。逆に、「非アクティブ化」という用語は、サービング・セルの非アクティブ化、サービング・セルの解放、サービング・セルの構成解除などを指しうる。サービング・セルの例はＳセル、ＰＳセルなどである。したがって、「アクティブ化手順」は、Ｓセルのアクティブ化（又は追加）、ＰＳセルの追加などを指しうるが、「非アクティブ化手順」は、Ｓセルの非アクティブ化、ＰＳセルの解放などを指しうる。
【００４３】
Ｓセルについてのアクティブ化手順（又は、より単純に「アクティブ化」）は、ネットワーク・ノード（例えば、ｇＮＢ）によって開始され、ＵＥによって完了されてもよい。例示的なＳセル・アクティブ化は例えば、ネットワーク・ノードがＳセル・アクティブ化コマンドをＵＥへ送信することを含んでもよい。Ｓセルにまだ同期されていないならば、ＵＥはＳセルに同期し、その後、ＰＤＣＣＨを監視し、チャネル品質（例えば、ＣＱＩ）を決定し、チャネル品質をネットワーク・ノードに報告する。報告された非ゼロＣＱＩ値はＵＥがＳセルを成功裏にアクティブ化したことを示し、以降、Ｓセルでスケジュールされうる。
【００４４】
上述の一般的な原理をさらに説明するために、ＴａとＲｒとの間の関係は、以下のように記述されうる。
‐Ｒｒが、ある閾値（Ｇｒ）よりも高いならば、ＴａはＴａ１よりも大きくない。
‐そうでなく、Ｒｒ≦Ｇｒであるならば、ＴａはＴａ１よりも大きく、例えばＴａ＝Ｔａ２である。
セル２上での測定についてＵＥ受信機活動率（Ｒｒ）に影響を及ぼし及び／又は決定できるパラメータの例は、サービング・セル又はＳセル測定サイクル（Ｔｍ）、ＤＲＸサイクル周期（Ｔｄ）、ＤＲＳ機会周期などである。Ｔｍの例は、１６０、２５６、３２０、６４０、及び１２８０ｍｓである。ＤＲＸサイクルの例は、１０、４０、８０、１６０、３２０、６４０、１２８０、及び２５６０ｍｓである。ＤＲＳ機会及びＤＲＳ機会周期の例は、それぞれＳＭＴＣ及びＳＭＴＣ期間である。
【００４５】
いくつかの例示的な実施形態では、パラメータＴｍ及びＴｄは、ＵＥがその電力消費を低減できるようにするために使用されうる。パラメータＴｍはネットワーク・ノードによって構成されてもよく、非アクティブ化されたＳセルを有するキャリアのセル上での測定をスケジューリングするためにＵＥによって使用されてもよい。例えば、ＵＥは、典型的に測定サイクル（Ｔｍ）ごと及び／又はＤＲＸサイクル（Ｔｄ）ごとに１回、セル上で測定を実行する。上記の関係の文脈において、Ｒｒは、Ｔｍ及び／又はＴｄの減少とともに増加する。
【００４６】
したがって、アクティブ化時間Ｔａはまた、Ｔｍ及び／又はＴｄに関連して決定されてもよい。１つの例示的な実施形態では、Ｔａは、以下に従ってＴｍ及び／又はＴｄに関して決定されうる。
‐Ｔｍが、ある閾値（Ｇｍ）未満であるならば、ＴａはＴａ１よりも大きくない。
‐そうでなく、Ｔｍ≧Ｇｍであるならば、ＴａはＴａ１よりも大きく、例えば、Ｔａ＝Ｔａ２である。
‐Ｔｄが、ある閾値（Ｇｄ）未満であるならば、ＴａはＴａ１より大きくない。
‐そうでなく、Ｔｄ≧Ｇｄであるならば、ＴａはＴａ１よりも大きく、例えば、Ｔａ＝Ｔａ２である。
【００４７】
別の例示的な実施形態では、Ｔａは、以下に従ってＴｍ及びＴｄに関して決定されうる。
‐Ｆ（Ｔｍ、Ｔｄ）が、ある閾値（Ｇｃ）未満であるならば、ＴａはＴａ１より大きくない。
‐そうでなく、Ｆ（Ｔｍ、Ｔｄ）≧Ｇｃであるならば、ＴａはＴａ１よりも大きく、例えばＴａ＝Ｔａ２である。
例示的なＦ（Ｔｍ、Ｔｄ）は、ＭＡＸ（Ｔｍ、Ｔｄ）、ＳＵＭ（Ｔｍ、Ｔｄ）、ＡＶＧ（Ｔｍ、Ｔｄ）などを含みうる。例示的な閾値Ｇｃは、ＭＡＸ（Ｇｍ、Ｇｄ）、ＳＵＭ（Ｇｍ、Ｇｄ）、ＡＶＧ（Ｇｍ、Ｇｄ）などを含む関数ｇ（Ｇｍ、Ｇｄ）でありうる。上記において、Ｇｍは測定サイクルについての閾値であり、ＧｄはＤＲＸサイクル長についての閾値である。例えば、測定サイクルがＧｍ未満である場合に、ＵＥ受信機活動レベルが高いと仮定することができ、そうでないならば、ＵＥ活動は低いと考えることができる。同様に、ＤＲＸサイクル長がＧｄ未満である場合に、ＵＥ活動レベルが高いと仮定することができ、そうでないならば、ＵＥ活動は低いと考えることができる。例示的な持続時間Ｔ０は、５秒、Ｎ１  ＤＲＸサイクル（例えば、５）、Ｎ２サービング・セル測定サイクル（例えば、５）などを含みうる。
【００４８】
別の例示的な実施形態では、Ｔａは、セル１（Ｎ３）をアクティブ化するためにＵＥによって必要なＤＲＳ機会の数、及びそのようなＤＲＳ機会の周期（Ｔｓ）の関数として決定されうる。例えば、Ｔａ＝ｈ（Ｎ３、Ｔｓ、Ｋ）であり、ここで、Ｋはセル２をアクティブ化するためにプライマリ・サービング・セル（セル１）（例えば、Ｐセル）から受信されたコマンドを処理することと、セル１へフィードバックを送信することと、ＵＥ実装マージンなどとを含む、１つ以上の動作を実行するためにＵＥによって必要な時間である。上記式に基づくＴａの具体例は、Ｔａ＝Ｋ＋Ｎ３＊Ｔｓである。
【００４９】
さらに、パラメータＮ３は、Ｔｓ、例えば、Ｎ３＝ｈ２（Ｔｓ）に依存しうる。例えば、Ｔｓがある閾値（例えば、ＧＴｓ）よりも小さいならば、Ｎ３はある閾値（例えば、ＧＮ３）よりも低く、そうでないならば、Ｎ３はＧＮ３以上である。同様に、上述のアクティブ化時間Ｔａ１及びＴａ２は、Ｎ３、Ｔｓ及びＫの関数にも関連し得、例えば以下である。
Ｔａ１＝ｈ２（Ｎ３１、Ｔｓ、Ｋ）かつＴａ２＝ｈ３（Ｎ３２、Ｔｓ、Ｋ）
（ただし、Ｎ３２＞Ｎ３１）。上記一般化された式に基づくＴａ１及びＴａ２の具体例は、Ｔａ１＝Ｋ＋Ｎ３１＊ＴｓかつＴａ２＝Ｋ＋Ｎ３２＊Ｔｓを含み、例示的な値は、Ｔａ１＝Ｋ＋２＊ＴｓかつＴａ２＝Ｋ＋５＊Ｔｓとなるように、Ｎ３１＝２かつＮ３２＝５を含みうる。このような例示的な実施形態では、Ｔａは、以下に従ってＴｍに関して決定されうる。
Ｔｍ≦６４０ｍｓならば、Ｔａ＝Ｔａ１であり、ここでＮ３１＝２。
そうでなく、Ｔｍ＞６４０ｍｓであるならば、Ｔａ＝Ｔａ２であり、ここでＮ３２＝５である。
Ｋ＝２０ｍｓ及びＴｓ＝４０ｍｓの例示的な値に基づいて、Ｔａ１及びＴａ２は、それぞれ１００ｍｓ及び２２０ｍｓである。言い換えれば、Ｔｍが６４０ｍｓまでであるならば、ＵＥは１００ｍｓ以内にセル２をアクティブ化しなければならないが、Ｔｍが６４０ｍｓを超えるならば、ＵＥは２２０ｍｓ以内にセル２をアクティブ化しなければならない。
【００５０】
別の例示的な実施形態では、Ｔａは、Ｔａ１＝Ｋ＋Ｎ３１＊Ｔｓ、Ｔａ２＝Ｋ＋Ｎ３２＊Ｔｓ、かつＴａ２＝Ｋ＋Ｎ３２＊Ｔｓに基づいて、以下に従ってＴｍに関して決定されうる。
‐Ｔｍ≦２５６ｍｓであるならば、Ｔａ＝Ｔａ１であり、ここでＮ３１＝２。
‐そうでなく、２５６＜Ｔｍ≦６４０ｍｓであるならば、Ｔａ＝Ｔａ２であり、ここでＮ３２＝４。
‐そうでなく、Ｔｍ＞６４０ｍｓであるならば、Ｔａ＝Ｔａ３であり、ここでＮ３３＝６。
Ｋ＝２０ｍｓ及びＴｓ＝４０ｍｓの例示的な値に基づいて、Ｔａ１、Ｔａ２及びＴａ３は、それぞれ１００、１８０及び２６０ｍｓである。言い換えれば、Ｔｍが２５６ｍｓ以下であるならば、ＵＥは１００ｍｓ以内にセル２をアクティブ化しなければならず、Ｔｍが２５６ｍｓより大きく６４０ｍｓ以下であるならば、ＵＥは１８０ｍｓ以内にセル２をアクティブ化しなければならず、Ｔｍが６４０ｍｓより大きいならば、ＵＥは２６０ｍｓ以内にセル２をアクティブ化しなければならない。
【００５１】
図７は、本開示の１つ以上の例示的な実施形態によるワイヤレス・ネットワークにおいてユーザ機器（ＵＥ）のプライマリ・サービング・セル（ＰＳＣ）とともに動作するためのセカンダリ・セル（Ｓセル）のアクティブ化のための例示的な方法及び／又は手順のフロー図である。図７に示す例示的な方法は例えば、（以下で説明する）図１４に従って構成されたＵＥにおいて実施されうる。さらに、以下に説明されるように、図７に示される例示的な方法及び／又は手順は、本書に記載される例示的な利点を達成するために、図８及び／又は図１３に示される例示的な方法及び／又は手順と協働して利用されうる。さらに、図７はブロックを特定の順序で示しているが、この順序は単に例示的なものであり、例示的な方法及び／又は手順の動作は図７に示したものとは異なる順序で実行されてもよく、異なる機能を有するブロックに組み合わされ及び／又は分割されてもよい。
【００５２】
ブロック７１０において、ＵＥは、受信機活動率を決定できる。例えば、受信機活動率は、上述したＲｒのようなＳセル測定活動率パラメータでありうる。いくつかの実施形態では、ＵＥは、ネットワーク・ノード（例えば、Ｐセル、制御ＰＳＣなど）から（例えば、パラメータとして）受信機活動率を受信できる。いくつかの実施形態では、ＵＥは、ネットワーク・ノードから、受信機活動率を決定できる１つ以上のパラメータを受信できる。例えば、これらの１つ以上のパラメータは、Ｓセル測定サイクル、間欠受信（ＤＲＸ）サイクル周期、復調参照信号（ＤＲＳ）機会周期、及びＳＭＴＣ）周期を含みうる。
【００５３】
いくつかの実施形態では、受信機活動率（又はそれに関連するパラメータ）は、受信機活動率に従って測定されるべき１つ以上のＳセルの識別を伴うことができる。他の実施形態において、特定のＳセルは識別されず、代わりにＵＥは受信した情報が適用される特定のＳセル（例えば、すべてのＳセル）を暗黙的に理解する。
【００５４】
いくつかの実施形態では、ブロック７２０において、ＵＥは受信機活動率に従って、１つ以上のＳセル上で１回以上の測定を実行できる。例えば、ＵＥは、１つ以上のＳセルのそれぞれによって送信されたＳＳＢ上でこのような測定を実行できる。測定の例は、セル・サーチ、信号品質測定（例えば、ＲＳＲＱ、ＳＩＮＲ等）、信号強度測定（例えば、経路損失、ＲＳＲＰ等）、タイミング測定（例えば、ＳＦＴＤ）等を含む。ブロック７２０の動作はオプションである。したがって、いくつかの例示的な実施形態では、ＵＥは、受信機活動率を受信せず、又は受信機活動率に従って測定を実行しなくてもよい。他の実施形態では、ＵＥは、他のＳセル上ではなく、いくつかのＳセル上で受信機活動率に従って測定を受信し、実行できる。いくつかの実施形態では、ブロック７２５において、ＵＥは例えば、ネットワークからの非アクティブ化要求に基づいて、１つ以上のＳセルのいくつか又はすべてを非アクティブ化できる。
【００５５】
したがって、ブロック７３０に入る前に、ＵＥは、任意の特定のＳセルに対して以前に測定を実行していてもよいし、実行していなくてもよく、任意の以前の測定は過去にある持続時間で行われる。ブロック７３０において、ＵＥは例えば、ＭＡＣコマンド、ＲＲＣメッセージ、ＤＬ制御チャネル（例えば、ＰＤＣＣＨ又はｅＰＤＣＣＨ）上で送信されるＤＣＩ（Ｌ１）メッセージなどを介してＳセル・アクティブ化要求を受信することによって、特定のＳセル（例えば、セル２）をアクティブ化するためのネットワーク・ノード（例えば、ＰＳＣをサービス提供又は制御するノード）によって構成されうる。Ｓセルは、好ましくはＵＥがアクティブ化要求を受信する前に非アクティブ化される。要求を受信すると、又はその直後に、ブロック７３５において、ＵＥは受信機活動率に基づいて、特定のＳセル（例えば、セル２）をアクティブ化できる。様々な実施形態では、ブロック７３５の動作が以下で説明するブロック７４０〜７９０を含む様々な動作を含みうる。
【００５６】
ブロック７４０において、ＵＥは、Ｓセル（例えば、セル２）が最後に測定されてからの持続時間（Ｔ）を決定できる。例えば、ＵＥは、ブロック７１０において決定された受信機活動率に従って、ブロック７２０においてセル２上で行われた最後の測定からの持続時間を決定できる。ブロック７５０において、ＵＥは、Ｓセル（例えば、セル２）が「既知」であるか、あるいは「未知」であるかを決定するために、持続時間Ｔを第１閾値Ｔ０と比較できる。
【００５７】
例えば、ＵＥは、ＳセルがｇＮＢによって追加（又は構成）されたが、その後、ＵＥがＳセルの信号（例えば、ＳＳＢ）に対して全く、又は少なくとも最後のＴ０時間単位（例えば、５秒）以内に測定を実行していないことを決定することによって、セルが「未知」であることを決定できる。したがって、ＵＥは「未知」Ｓセルのタイミングの知識を有さず、及び／又はＵＥが「未知」Ｓセルと同期していない。
【００５８】
プライマリ・サービング・セル（例えば、Ｐセル）及びＳセルは典型的には同期しているが、いくつかの理由でタイミング差が生じうる。並置されていないＰセル及びＳセルの場合に、ＵＥの位置への伝搬遅延差は、ＵＥによって観測されるように、Ｐセルに対するＳセル・タイミングにおいて±３０μｓまでの不確実性（ΔＴ）をもたらしうる。また、ＵＥにおけるタイミング差ΔＴは、ＰセルとＳセルとの間のＮＲ  ＰＨＹ構成（例えば、サブキャリア間隔）差に依存しうる。上記の議論はＰセル／Ｓセルキャリア・アグリゲーションに関するものであるが、デュアル・コネクティビティ（ＤＣ）構成におけるＰＳセルに関しても同様の問題が生じうる。
【００５９】
これにかえて、ブロック７５０において、ＵＥは、ＵＥが適切なゲイン設定に関する何らかの知識を有するように、少なくとも最後のＴ０時間単位（例えば、５秒）の間にＳセル上で測定が行われたことを決定することによって、セルが「既知」であることを決定できる。しかし、ＤＲＸ又はＳセル測定サイクルに応じて、最後の測定機会からいくらかの時間が経過したかもしれない。これは一般的にＲＲＭ測定には問題ではないが、ＳＩＮＲ推定に大きく依存するＣＳＩ測定に影響する可能性がある。例えば、タイミング・ドリフト、周波数ドリフト、及び／又は不正確なゲイン設定は、ＳＩＮＲ推定値をかなり劣化させる可能性がある。
【００６０】
第１閾値は、受信機活動率及び／又は受信機活動率に関連するパラメータの関数であってもよく、これは上述の様々な機能及び／又は関係を含む。例えば、第１閾値は、Ｓセル測定サイクル、ＤＲＸサイクル周期、ＤＲＳ機会周期、及び／又はＳＭＴＣ周期の関数でありうる。
【００６１】
ブロック７５０において、ＴがＴ０より大きい（すなわち、Ｓセルが「未知」である）とＵＥが決定したならば、例示的な方法及び／又は手順はブロック７６０に進み、ここで、ＵＥは、以下でより詳細に説明される第１アクティブ化手順（例えば、「ブラインド」アクティブ化手順）を実行できる。一方、持続時間ＴがＴ０未満（すなわち、Ｓセルが「既知」）であるとＵＥが決定したならば、例示的な方法及び／又は手順はブロック７６５に進むことができ、ここで、ＵＥは、以下でさらに詳細に説明される第２アクティブ化手順を実行できる。
【００６２】
様々な実施形態では、ブロック７６５の動作は以下に説明されるブロック７７０〜７９０の様々な動作を含みうる。ブロック７７０において、ＵＥは、受信機活動率（図７において「ＲＡＲ」と略される）が第２閾値Ｔ１未満であるかどうかを決定できる。ＲＡＲがＴ１未満であるとＵＥが決定したならば、動作はブロック７９０に進み、ＵＥは、以下でより詳細に説明される第２高速アクティブ化手順を実行する。一方、ＴがＴ１よりも小さくない（すなわち、Ｔ１≦Ｔ＜Ｔ０）とＵＥが決定したならば、動作はブロック７８０に進み、ＵＥは、以下でより詳細に説明される第２通常のアクティブ化手順を実行する。高速第２アクティブ化手順は持続時間Ｔａ１を有することができ、通常第２アクティブ化手順は、Ｔａ１よりも長い持続時間Ｔａ２を有しうる。
【００６３】
図８は、本開示の１つ以上の例示的な実施形態によるＵＥにおいて様々なＳセル・アクティブ化手順を実行するための例示的な方法及び／又は手順のフロー図である。図８に示される例示的な方法は例えば、（以下で説明される）図１４に従って構成されたユーザ機器（ＵＥ）において実施されうる。さらに、以下に説明されるように、図８に示される例示的な方法及び／又は手順は、本書で説明される様々な例示的な利点を提供するために、図７及び／又は図１３に示される例示的な方法及び／又は手順と協働して利用されうる。さらに、図８は特定の順序でブロックを示すが、この順序は単に例示的なものであり、例示的な方法及び／又は手順の動作は図８に示されるものとは異なる順序で実行されてもよく、異なる機能を有するブロックに組み合わされ及び／又は分割されてもよい。
【００６４】
図８に示される例示的な方法及び／又は手順は、それぞれが図７に示される例示的な方法及び／又は手順からの特定の出口ポイントに対応する３つの別個の入口ポイントを提供する。より具体的にはブロック８１０への入口ポイントがブロック７６０の「第１アクティブ化手順」に対応し、ブロック８７０への入口ポイントはブロック７８０の「第２通常アクティブ化手順」に対応し、ブロック８９０への入口ポイントはブロック７９０「第２高速アクティブ化手順」に対応する。「第１アクティブ化手順」（以下、「ブラインド・アクティブ化手順」と呼ぶ）は図８に示される動作を含むので、この手順は最初に以下で説明される。
【００６５】
ＳセルがＣＡ（又はＤＣ）構成に追加されているが、ＵＥがＳセルの測定をまだ実行していないか、又はＵＥが直近のＴ０時間単位の間にＳセルの信号（例えば、ＳＳＢ）に対して測定をまだ実行していないならば、ＵＥは、Ｓセルの「ブラインド・アクティブ化」を実行しなければならない。高レベルで、「ブラインド・アクティブ化」手順は、ゲインを決定する動作と、Ｓセルの存在を決定する動作と、ゲイン及びタイミング／周波数オフセット（例えば、同期）を微調整する動作と、ＣＳＩ（例えば、ＣＱＩ）を決定し報告する動作とを含む。これらの動作のタイミングは図９に示されている時間‐周波数グリッドによって説明され、これは、後続の図８の説明で参照される。
【００６６】
ゲイン設定を決定する場合に、初期動作は、信号が適切に増幅されるが飽和されないように適切なＬＮＡ設定を決定することでありうる。飽和はゲインが高すぎると発生し、受信信号の歪みや干渉を引き起こす波形のクリッピングが発生する。共通のＵＥ設計は、２つ又は３つの動作点、すなわちゲイン設定を有するＬＮＡを使用する。前者の場合に、動作点は、それぞれ高ゲイン及び低ゲインと呼ばれうる。後者の場合に、これらは、それぞれ高ゲイン、中ゲイン及び低ゲインと呼ばれうる。以下の説明では３つの動作点が使用されるが、これは単に例示的なものであり、必要に応じて追加の動作点を使用できる。
【００６７】
ブロック８１０において、ＵＥは、ゲイン決定のために使用される初期ＳＳＢの前に初期ゲイン設定を選択する。初期ＳＳＢのタイミングは例えば、ＰＳＣによって提供されるＰＳＣ（例えば、Ｐセル又はＰＳセル）タイミング及びＳセルＳＭＴＣ情報から決定されうる。ＳＭＴＣ情報は、ＳＭＴＣ構成に関連する１つ以上のパラメータを含みうる。このようなパラメータの例は、ＳＭＴＣ周期、ＳＭＴＣウィンドウ・サイズ（例えば、ＳＳＢの数）、ＳＭＴＣオフセットなどである。
【００６８】
ブロック８１０において、例えば、ＵＥは、ＬＮＡについての中ゲイン設定と、他の増幅器（例えば、ＶＧＡ）についてのデフォルト単位ゲイン設定とを選択できる。ブロック８２０において、ＵＥは例えば、１つ以上の制御ワード及び／又はメッセージをそれぞれの増幅器に書き込むことによって、選択されたゲイン設定を特定の増幅器に適用する。ブロック８３０において、適用されたゲイン設定を使用して、ＵＥは１回以上の電力測定（例えば、ＲＳＳＩ）を行い、そこからＵＥは受信信号が飽和しているか否かを判定できる。図９の文脈では、これらの電力測定は、（１）とラベル付けされた第１利用可能ＳＳＢ上で実行される。
【００６９】
ブロック８４０において、ＵＥは、電力測定を使用して、より多くのゲイン設定が検討されるべきかどうかを判定する。例えば、初期中ゲイン設定を適用した後、ＵＥは、低ゲイン設定及び高ゲイン設定が検査されるべきままであることを判定する。このような場合に、動作はブロック８５０に進み、ここでＵＥは電力測定に使用する次のゲイン設定を決定する。例えば、ブロック８５０のゲイン決定はブロック８３０の結果、例えば、第１ＳＳＢの受信中に飽和が検出されたかどうかに基づくことができる。中ゲインが飽和をもたらしたならば、ＵＥは、次に低ゲイン設定を使用することを決定できる。そうでないならば、ＵＥは、高ゲイン設定を使用することを決定できる。
【００７０】
動作はブロック８２０に進み、ここでＵＥは新しく選択されたゲイン設定を適用し、その後ブロック８３０に進み、ここでＵＥは１回以上の電力測定（例えばＲＳＳＩ）を行い、そこからＵＥは受信信号が飽和しているかどうかを判定できる。図９の文脈では、これらの電力測定は、（２）とラベル付けされた第２利用可能ＳＳＢ上で実行される。ブロック８４０において、ＵＥは、電力測定を使用して、より多くのゲイン設定が検討されるべきかどうかを再び判定する。例えば、３つ以上のゲイン設定（例えば、４つ）があるならば、ＵＥは、２つの残りのゲイン設定のうちの１つが検査されるべきであると判定できる。
【００７１】
しかし、３つのゲイン設定の場合に、ＵＥは典型的に、飽和のない有効な動作点を生成するゲイン設定を決定するために、３つのうちの２つのみを検査する必要がある。このような場合、ブロック８４０において、ＵＥは、取得した情報に基づいて、有効な動作点のためのＬＮＡゲインを選択する。例えば、中ゲインが飽和となったならば、低ゲイン設定を選択する。中ゲインが飽和をもたらさなかったが、高いゲインがもたらしたならば、中ゲイン設定を選択する。そうでないならば、高ゲイン設定を選択する。
【００７２】
その後、ブロック８６０において、ＵＥは、別のＳＳＢ上で測定を実行することに基づいて、受信機ゲイン状態を決定し、記憶できる。例えば、ＵＥは、以前にデフォルト単位ゲインに設定されたＶＧＡのゲイン設定を決定することによって、選択されたゲイン設定を微調整できる。図９の文脈では、これらの測定は、（３）とラベル付けされた第３利用可能ＳＳＢ上で実行される。ゲイン設定を微調整した後、ＵＥは、受信機についての第１受信機ゲイン状態としてＬＮＡ及びＶＧＡゲインを記憶する。
【００７３】
ブロック８７０において、ＵＥはＳセル・タイミング及び／又は周波数オフセットを（すなわち、ＰＳＣに関して）決定し、記憶された第１受信機ゲイン状態を使用して無線リソース管理（ＲＲＭ）測定を実行する。図９の文脈では、これらの動作は、（４）とラベル付けされた第４利用可能ＳＳＢ上で実行され、記憶された第１受信機ゲイン状態はこの第４ＳＳＢの開始前に読み出され、適用される。例えば、ＵＥは、ＳＳＢを備えるＰＳＳ、ＳＳＳ、及び／又はＤＭ‐ＲＳを使用して、要求されたＳセルのタイミング及び／又は周波数オフセットを決定できる。このような動作を実行した後、ＵＥは、ＰＳＣとＳセルとの間のタイミング・オフセットを知る。さらに、ＵＥは、これらの受信信号に基づいて、受信機ゲインがさらに調整される必要があるかどうかを判定できる。さらに、ＵＥは、例えばＳＳＢを含むＳＳＳ及び／又はＤＭ‐ＲＳを使用してＳセルの存在を決定するためにＲＲＭ測定（例えば、ＲＳＲＰ、ＲＳＲＱ、ＲＳ‐ＳＩＮＲ）を実行できる。
【００７４】
ＵＥは例えば、ブロック８７０動作の開始時のＳセル・タイミングにおける不確実性の量に依存しうる様々な技術を使用して、ブロック８７０においてＳセル・タイミング・オフセットを決定できる。いくつかのＮＲ  ＣＡ／ＤＣシナリオでは、Ｓセル・タイミング不確実性の量は、以前の測定から決定された公称位置の周りで〜６０μｓ（例えば、＋／−３０μｓ）でありうる。これは、図１０に示されている例示的な時間‐周波数グリッドの横軸に示されている。このような場合、不確実性の範囲をカバーする１つ以上の仮想タイミング・オフセットで測定の集合を行うことによって、タイミング・オフセットが決定されうる。集合内の個々の測定は、受信機の能力に従って、時間的に約半分のＯＦＤＭシンボルの間隔をあけることができる。
【００７５】
集合内の測定の数はＯＦＤＭシンボル内のサブキャリア間隔（ＳＣＳ）に依存し、これは各ＯＦＤＭシンボルの持続時間に影響する。例えば、１５ｋＨｚのＳＣＳでは、図１０の左端のサブグリッドに示すように、シンボル持続時間は１／１５ｋＨｚ又は〜６６μｓとなる。このような場合、不確実性範囲をカバーするために１回又は１回の測定しか必要とされない。対照的に、１２０ｋＨｚのＳＣＳは８．２５μｓのシンボル持続時間をもたらし、これは不確実性範囲をカバーするために最大１５個の測定を必要とする。一般に、ＳＣＳが大きいほど、ＰＳＣ（例えば、Ｐセル又はＰＳセル）タイミングとＳセル・タイミングとの間の起こりうるオフセットの全範囲をカバーするために、より多くの測定が必要である。
【００７６】
このような測定を行った後、ＵＥは、適切なゲイン設定を決定する場合に、測定された集合内の最大値に対応するタイミングを選択できる。さらに、ＵＥは、このようにして決定されたＳセル・タイミング・オフセットを微調整するための様々な他の技術を使用できる。例えば、ＵＥは、不確実性のウィンドウ内で受信された無線サンプルに対してＳＳＳベースの整合フィルタリングを実行できる。このようにタイミング・オフセットを洗練した後、ＵＥは適用された決定されたタイミング・オフセットを用いて同じ無線サンプルを後処理することによって、ＲＲＭ測定（例えば、ＲＳＲＰ、ＲＳＲＱなど）を実行できる。
【００７７】
ブロック８８０において、実行された測定、ならびにブロック８７０において決定されたタイミング及び／又は周波数オフセット情報に基づいて、ＵＥは格納された第１受信機ゲイン状態を第２受信機ゲイン状態に更新し、第１同期情報を記憶する。例えば、第１同期情報は、決定されたタイミング及び／又は周波数オフセット情報に基づくことができる。ブロック８９０において、ＵＥはチャネル状態情報（ＣＳＩ）を決定するために必要な無線リソース管理（ＲＲＭ）測定を実行するために、記憶された第２受信機ゲイン状態及び第１同期情報を使用する。図９の文脈では、これらの動作が、（５）とラベル付けされた第５利用可能ＳＳＢ上で実行される。ＵＥは例えば、第５ＳＳＢを備えるＤＭ‐ＲＳを使用して、ＣＳＩを決定するために必要なＲＲＭ測定を実行できる。ＵＥはまた、必要に応じて、第５ＳＳＢの受信に基づいて第２受信機ゲイン状態及び／又は第１同期情報を微調整し、将来の使用のために更新された値を記憶できる。例えば、ＵＥは第２受信機ゲイン状態を第３受信機ゲイン状態に更新し、及び／又は第１同期情報を第２同期情報に更新できる。これらの動作を完了した後、ＵＥはブロック８９５において、測定報告をネットワーク（例えば、ＰＳＣ又はＰセル）へ送信できる。測定報告はＣＳＩ、例えば、有効（非ゼロ）ＣＱＩ値又はインデックスを含みうる。
【００７８】
上述の「ブラインド・アクティブ化」とは対照的に、ＵＥは、ＳセルがＵＥに「既知である」が直近のＴ１時間単位の間に測定されていないならば、Ｓセルの「通常アクティブ化」を実行できる。上述のように、ＵＥが直近のＴ０時間単位の間にＳセルの信号（例えば、ＳＳＢ）について測定を実行したならば（ここで、Ｔ０＞Ｔ１）、Ｓセルは「既知」でありうる。換言すれば、「通常アクティブ化」はＳセルの直近の測定からの持続時間がＴ１とＴ０との間である場合に使用されうる。このような場合、ＵＥの記憶されたゲイン設定が最小精度要件を満たす可能性が高い。高レベルで、「通常アクティブ化」は、ゲイン設定（例えば、第１受信機ゲイン状態）を微調整することと、タイミング及び／又は周波数オフセット（例えば、同期情報）を決定することと、ＣＳＩ（例えば、ＣＱＩ）を決定し報告することとを含みうる。
【００７９】
これらの動作の例示的なタイミングが、図１１に示される時間‐周波数グリッドによって示される。（１）とラベル付けされた第１ＳＳＢはＳセル・アクティブ化コマンド、要求、及び／又はメッセージを受信する前に、ＵＥがＳセルについて測定した最後のＳＳＢを表す。ＵＥは、図７のブロック７７０において、直近に測定されたＳＳＢと、（図１１に（２）とラベル付けされている）Ｓセル・アクティブ化コマンドに続く最初のＳＳＢとの間の持続時間Ｔが何らかの閾値Ｔ１（例えば、１６０ｍｓ）を超えることを決定する。このように、ＵＥは図７のブロック７７０において「通常アクティブ化手順」を選択し、その後、図８のブロック８７０に進む。ブロック８７０において、ＵＥはＳセル・タイミング／周波数オフセットを決定し、図１１において（２）とラベルが付されたＳＳＢの受信に基づいて、（記憶されたゲイン状態及び／又は記憶された粗いタイミング／周波数オフセットを使用して）無線リソース管理（ＲＲＭ）測定を実行する。その後、ＵＥは、「ブラインド・アクティブ化」の場合に関して上述したように、図８のブロック８８０〜８９５における動作を実行する。
【００８０】
上述の「ブラインド・アクティブ化」及び「通常アクティブ化」とは対照的に、ＵＥは、ＵＥが最後のＴ１時間単位の間にＳセルの信号（例えば、ＳＳＢ）上で測定を実行したならば、Ｓセルの「高速アクティブ化」を実行できる。このような場合、Ｓセルは「既知」であり、ＵＥの記憶されたゲイン設定及び／又はタイミング／周波数オフセットは、より高い精度要件を満たす可能性が高い。「高速アクティブ化」は、ＣＳＩ（例えば、ＣＱＩ）を決定し、報告することを含む。
【００８１】
これらの動作のタイミングは、図１２に示される時間‐周波数グリッドによって示される。（１）とラベル付けされた第１ＳＳＢは、Ｓセル・アクティブ化コマンド、要求、及び／又はメッセージを受信する前に、ＵＥがＳセルについて測定した最後のＳＳＢを表す。ＵＥは、図７のブロック７７０において、直近に測定されたＳＳＢと、（図１２に（２）とラベル付けされている）Ｓセル・アクティブ化コマンドに続く最初のＳＳＢとの間の持続時間Ｔが閾値Ｔ１（例えば、１６０ｍｓ）未満であることを決定する。したがって、ＵＥは、図７のブロック７８０において「高速アクティブ化手順」を選択し、その後、図８のブロック８９０に進む。その後、ＵＥは、「ブラインド・アクティブ化」の場合に関して上述したブロック８８０〜８９５における動作を実行する。
【００８２】
図７及び８に示す例示的な方法及び／又は手順から生じるＳセル・アクティブ化時間は、以下に示すように数値的に表すことができ、ここで、ＴＰ１、ＴＰ２及びＴＰ３は、それぞれブラインド、通常、及び高速手順のアクティブ化時間を表す。
TP1=TmacProcessing+TactivationUncertainty+4SMTC+TSSB+TpostProcessing+TreportingUncertainty
TP2=TmacProcessing+TactivationUncertainty+1SMTC+TSSB+TpostProcessing+TreportingUncertainty
TP3=TmacProcessing+TactivationUncertainty+TSSB+TpostProcessing+TreportingUncertainty
ここで、
TactivationTimeUncertainty=1SMTC    アクティブ化コマンドと、コマンド受信後の最初のＳＳＢとの間の最大時間。
TreportingUncertainty=X1ミリ秒    ＣＳＩ測定とアップリンク上の利用可能なリソースとの間の最大時間。例えば、Ｘ１は２ｍｓでありうる。Ｘ１はまた、使用されるＵＬ信号の構成に依存しうる。
TpostProcessing=1ミリ秒    ＣＳＩを決定するための後処理のためのヘッドルーム。
TmacProcessing=X2    アクティブ化コマンド（ＭＡＣ）の処理時間。例えば、Ｘ２は２ｍｓでありうる。Ｘ２はまた、使用されるＵＬ信号の構成に依存しうる。
TSSB=4OFDMシンボル    ＳＳＢ受信の持続時間。
【００８３】
図１３は、本開示の１つ以上の例示的な実施形態によるプライマリ・サービング・セル（ＰＳＣ）及び少なくとも１つの選択的にアクティブ化されたセカンダリ・セル（Ｓセル）を介して１つ以上のユーザ機器（ＵＥ）と通信するように構成されたネットワーク・ノード（例えば、基地局、ｅＮＢ、ｇＮＢなど、又はこれらの構成要素）によって使用するための例示的な方法及び／又は手順のフロー図を示す。図１３に示す例示的な方法は例えば、図１５に従って構成されたネットワーク・ノード（後述）において実施されうる。さらに、以下に説明されるように、図１３に示される例示的な方法及び／又は手順は、本書で説明される様々な例示的な利点を提供するために、図７及び／又は図８に示される例示的な方法及び／又は手順と協働して利用されうる。さらに、図１３は特定の順序でブロックを示すが、この順序は単に例示的なものであり、例示的な方法及び／又は手順の動作は図１３に示されるものとは異なる順序で実行されてもよく、異なる機能を有するブロックに組み合わされ及び／又は分割されてもよい。
【００８４】
ブロック１３１０において、ネットワーク・ノードは、ネットワーク・ノードによってサービス提供される１つ以上のＵＥによる１つ以上のＳセルのアクティブ化をサポートするために必要な受信機活動率を決定できる。例えば、ネットワーク・ノードは、１つ以上のＵＥについてのＰＳＣ（例えば、Ｐセル又はＰＳセル）、ならびに必要に応じて、要求に応じて、及び／又は所望に応じて、ＵＥのうちの特定のものについてアクティブ化及び／又は非アクティブ化されうる１つ以上のＳセルを提供してもよい。受信機活動率は、ネットワーク・ノードによって提供されるＳセル及び／又は別のネットワーク・ノードによって提供されるＳセルに適用できる。いくつかの実施形態では、受信機活動率は、上述のパラメータＲｒによって表されるか、又はこれに関連できる。さらに、測定活動率は、上述の様々な関係に従って、必要とされる、最適な、好ましい、及び／又は所望のＳセル・アクティブ化時間に基づいて決定されうる。
【００８５】
ブロック１３２０において、ネットワーク・ノードは、受信機活動率に関連する１つ以上のパラメータを、ネットワーク・ノードによってサービス提供される１つ以上のＵＥへ送信できる。パラメータは、様々なタイプのプロトコルを使用して、及び／又は様々なタイプのベアラ（例えば、ブロードキャスト、マルチキャスト、ユニキャストなど）を使用して、様々なタイプのメッセージで送信されうる。例えば、１つ以上のパラメータは、Ｓセル測定サイクル、間欠受信（ＤＲＸ）サイクル周期、復調参照信号（ＤＲＳ）機会周期、及びＳＭＴＣ）周期のうちのいずれかを含みうる。いくつかの実施形態では、ネットワーク・ノードは、パラメータが適用される１つ以上のＳセルの識別子を送信することもできる。
【００８６】
いくつかの実施形態では、ブロック１３３０において、ネットワーク・ノードは、ネットワーク・ノードによって（例えば、提供されるＰセルによって）サービス提供される特定のＵＥから、特定のＳセルに関する第１有効測定報告を受信できる。測定報告は、ブロック１３２０において提供された受信機活動率及び／又は１つ以上の関連パラメータに従ってＵＥによって行われた測定を含みうる。いくつかの実施形態では、ブロック１３３５において、ネットワーク・ノードは特定のＳセルを非アクティブ化する要求を特定のＵＥへ送信できる。いずれの場合も、ブロック１３４０に入る前に、特定のＳセルは、特定のＵＥに関して非アクティブ化される。
【００８７】
続いて、ブロック１３４０において、ネットワーク・ノードは、Ｓセル・アクティブ化要求を特定のＵＥへ送信できる。ブロック１３５０において、ネットワーク・ノードは、ブロック１３３０において送信されたアクティブ化要求に応答して、特定のＳセルに関する第２有効測定報告をＵＥから受信できる。いくつかの例示的な実施形態では、有効測定報告は、有効ＣＳＩ（例えば、非ゼロチャネル品質インジケータ（ＣＱＩ）を有するＣＳＩ）を備えることができる。有効測定（例えば、ＣＳＩ）報告は、上述の図７及び図８に示される例示的な手順を含む、様々な方法でＵＥによって生成されうる。
【００８８】
いくつかの例示的な実施形態では、ＵＥはまず、非アクティブ化Ｓセルから中間アクティブ化Ｓセルへの状態遷移を実行するように構成されてもよく、次のステップでＵＥは中間アクティブ化Ｓセルからアクティブ化Ｓセルへの状態遷移を実行するようにさらに構成されてもよい。アクティブ化されたＳセルの状態は、他の例示的な実施形態に関して上述したものと同じである。中間アクティブ化Ｓセル状態では、ＵＥは制御チャネル（例えば、ＰＤＣＣＨ、ｅＰＤＣＣＨなど）を監視／受信する必要がない。しかし、アクティブ化Ｓセル状態（又は通常／レガシーＳセル・アクティブ化状態）では、ＵＥはこのような制御チャネルを監視／受信する必要がある。
【００８９】
しかし、両方の場合において、ＵＥはＳセルがアクティブ化されていることのインジケーションとして、測定結果（例えば、有効非ゼロＣＱＩ）を報告することを要求される。中間アクティブ化Ｓセル状態は、高速アクティブ化Ｓセル状態、遷移アクティブ化Ｓセルなどと呼ばれてもよい。中間アクティブ化Ｓセル状態は、ＵＥが依然として同期を維持しながら電力を節約することを可能にし、例えば、ネットワーク・ノードがＵＥを連続的にスケジュールする必要がないバースト・トラフィックの下で使用されうる。しかし、中間アクティブ化Ｓセル状態から通常／レガシーＳセル・アクティブ化への状態遷移持続時間（すなわち、ＵＥが制御チャネルを監視できる場合）は、非アクティブ化Ｓセル状態から通常／レガシーＳセル・アクティブ化への状態遷移持続時間よりもはるかにより短い。
【００９０】
この例示的な実施形態の１つの側面によれば、中間Ｓセル・アクティブ化状態からＳセル・アクティブ化状態への状態遷移を実行するためにＵＥによって必要な時間は、ＵＥが中間Ｓセル・アクティブ化状態にある間のＳセルに対するＵＥの活動レベルに依存する。例えば、中間Ｓセル・アクティブ化状態中のＵＥが、ある閾値（Ｇｃ）までの測定報告周期で構成されるならば、ＵＥは特定の期間（Ｔｘ）内にＳセルを（すなわち、中間Ｓセル・アクティブ化状態から）アクティブ化することが要求される。しかし、ＵＥがＧｃよりも大きい測定報告周期で構成されるならば、ＵＥはさらなる期間（Ｔｙ）内にＳセルをアクティブ化することが要求され、ここで、例えば、Ｇｃは１６０ｍｓでありうる。
【００９１】
中間Ｓセル・アクティブ化状態で測定報告がより頻繁に行われる場合、ＵＥは、Ｓセルのタイミング情報を既に更新している。したがって、ＵＥは、より短い時間（例えば、Ｔｘ）内にＳセルをアクティブ化できる。しかし、測定報告が中間Ｓセル・アクティブ化状態であまり頻繁に行われない場合、ＵＥは、制御チャネル（例えば、ＰＤＣＣＨ、ｅＰＤＣＣＨなど）の受信を開始するために、ＵＥがＳセルを完全にアクティブ化できる前に、Ｓセルのタイミングを洗練する必要がありうる。一例として、Ｔｘは、受信されたメッセージを処理し、Ｓセルがアクティブ化されたことのインジケーションとしてフィードバック（例えば、ＡＣＫ）を送信する時間でありうる。例えば、Ｔｘは８ｍｓでありうる。同じ例では、Ｔｙは、受信されたメッセージを処理し、Ｓセルのタイミングを洗練し、Ｓセルがアクティブ化されたことのインジケーションとしてフィードバック（例えば、ＡＣＫ）を送信する時間でありうる。例えば、Ｔｙは８ｍｓ＋Ｔｒｅｆでありえ、ここで、Ｔｒｅｆは１つ以上のスロット又はサブフレーム（例えば、２つのサブフレーム）の持続時間である。
【００９２】
言い換えれば、いくつかの実施形態では、（ブロック１３４０において）特定のＳセルをアクティブ化する要求を送信することと（ブロック１３５０において）第２有効測定報告を受信することとの間の第１持続時間は、（ブロック１３２０において）ＵＥへ送信された１つ以上のパラメータの関数である。いくつかの実施形態では、第１有効測定報告がより早く（例えば、ブロック１３３０において）受信された場合、第１持続時間はまた、第１有効測定報告を受信することと、特定のＳセルをアクティブ化する要求を送信することとの間の第２持続時間の関数である。
【００９３】
例えば、第２持続時間が受信機活動率の関数である第１閾値Ｔ０よりも大きいならば、第１持続時間は、第１値以下でありうる。そうでないならば、第１持続時間は、第１値より小さい第２値以下でありうる。いくつかの実施形態では、第２持続時間がＴ０以下であるならば、第１持続時間は、受信機活動率及び／又は関連するパラメータに依存するか、又はそれらの関数でありうる。例えば、受信機活動率が第２閾値Ｔ１よりも大きいならば、第１持続時間は第２値以下でありうるが、そうでないならば、第２値よりも小さい第３の値以下でありうる。
【００９４】
本書では方法、装置、デバイス、コンピュータ可読媒体及び受信機に関して様々な実施形態を上で説明したが、当業者はこのような方法が様々なシステム、通信デバイス、コンピューティング・デバイス、制御デバイス、装置、非一時的コンピュータ可読媒体などにおけるハードウェア及びソフトウェアの様々な組み合わせによって実施されうることを容易に理解するのであろう。図１４は、本開示の様々な例示的な実施形態に従って構成可能な例示的なワイヤレス・デバイス又はユーザ機器（ＵＥ）のブロック図を示し、本書で上述した実施形態のうちの１つ以上による複数の送信及び／又は受信変換システムを構成及び／又は利用するための１つ以上の例示的な方法を備えるコンピュータ可読媒体上での命令の実行を含む。
【００９５】
例示的なデバイス１４００は、並列アドレス及びデータ・バス、シリアル・ポート、又は当業者に知られている他の方法及び／又は構造を備えることができるバス１４７０を介して、プログラム・メモリ１４２０及び／又はデータ・メモリ１４３０に動作可能に接続されうるプロセッサ１４１０を備えることができる。プログラム・メモリ１４２０は、プロセッサ１４１０によって実行されるソフトウェア・コード又はプログラムを含み、これは、例示的な装置１４００が、例えば５Ｇ／ＮＲ、ＬＴＥ、ＬＴＥ‐Ａ、ＵＭＴＳ、ＨＳＰＡ、ＧＳＭ、ＧＰＲＳ、ＥＤＧＥ、１ｘＲＴＴ、ＣＤＭＡ２０００、８０２．１１ＷｉＦｉ（登録商標）、ＨＤＭＩ（登録商標）、ＵＳＢ、Ｆｉｒｅｗｉｒｅ（登録商標）などとして一般に知られているような３ＧＰＰ、３ＧＰＰ２又はＩＥＥＥによって標準化された１つ以上の有線又はワイヤレス通信プロトコル、あるいは無線送受信機１４４０、ユーザ・インタフェース１４５０、及び／又はホスト・インタフェース１４６０とともに利用されうる他の任意の現在又は将来のプロトコルを含む、１つ以上の有線又は無線通信プロトコルを使用して通信することを容易にし、引き起こし及び／又はプログラムする。
【００９６】
例えば、プロセッサ１４１０は、３ＧＰＰによって（例えば、ＮＲ及び／又はＬＴＥについて）標準化されたＭＡＣ、ＲＬＣ、ＰＤＣＰ、及びＲＲＣレイヤ・プロトコルに対応するプログラム・メモリ１４２０に記憶されたプログラム・コードを実行できる。さらなる例として、プロセッサ１４１０は、無線送受信機１４４０とともに、直交周波数分割多重（ＯＦＤＭ）、直交周波数分割多重アクセス（ＯＦＤＭＡ）及び単一キャリア周波数分割多重アクセス（ＳＣ‐ＦＤＭＡ）のような対応するＰＨＹレイヤ・プロトコルを実装するプログラム・メモリ１４２０に記憶されたプログラム・コードを実行できる。
【００９７】
プログラム・メモリ１４２０はまた、無線送受信機１４４０、ユーザ・インタフェース１４５０、及び／又はホスト・インタフェース１４６０のような様々な構成要素の構成及び制御を含む、デバイス１４００の機能を制御するためにプロセッサ１４１０によって実行されるソフトウェア・コードを含みうる。プログラム・メモリ１４２０はまた、本書で説明される例示的な方法及び／又は手順のいずれかを実施するコンピュータ実行可能命令を備える１つ以上のアプリケーション・プログラム及び／又はモジュールを備えることができる。このようなソフトウェア・コードは例えば、実装された方法ステップによって規定された所望の機能が保存されている限り、Ｊａｖａ、Ｃ＋＋、Ｃ、Ｏｂｊｅｃｔｉｖｅ  Ｃ、ＨＴＭＬ、ＸＨＴＭＬ、マシン・コード及びアセンブラのような、任意の既知又は将来開発されるプログラミング言語を使用して指定又は記述されうる。これに加えて又はこれにかえて、プログラム・メモリ１４２０は、デバイス１４００から離れた外部記憶装置（図示せず）を備えることができ、この外部記憶装置から、命令を、デバイス１４００内に配置された、又はデバイス１４００に取り外し可能に結合されたプログラム・メモリ１４２０にダウンロードして、このような命令の実行を可能にできる。
【００９８】
データ・メモリ１４３０は、プロセッサ１４１０が本書で説明される例示的な方法及び／又は手順のいずれかに対応する、又はこれらを備える動作を含む、デバイス１４００のプロトコル、構成、制御及び他の機能で使用される変数を記憶するためのメモリ領域を備えることができる。さらに、プログラム・メモリ１４２０及び／又はデータ・メモリ１４３０は、不揮発性メモリ（例えば、フラッシュ・メモリ）、揮発性メモリ（例えば、スタティック又はダイナミックＲＡＭ）、又はこれらの組み合わせを備えることができる。さらに、データ・メモリ１４３０は、１つ以上のフォーマット（例えば、ＳＤカード、メモリ・スティック、コンパクト・フラッシュなど）の取り外し可能なメモリ・カードを挿入及び取り外すことができるメモリ・スロットを含みうる。当業者は、プロセッサ１４１０が複数の個々のプロセッサ（例えば、マルチコア・プロセッサを含む）を備えることができ、その各々が、上述の機能の一部を実装することを認識するのであろう。このような場合、複数の個々のプロセッサは、プログラム・メモリ１４２０及びデータ・メモリ１４３０に共通に接続することもでき、複数の個々のプログラム・メモリ及びデータ・メモリ又はデータ・メモリに個別に接続することもできる。より一般的には、デバイス１４００の様々なプロトコル及び他の機能は、アプリケーション・プロセッサ、信号プロセッサ、汎用プロセッサ、マルチコア・プロセッサ、ＡＳＩＣ、固定及び／又はプログラマブル・デジタル回路、アナログ・ベースバンド回路、無線周波数回路、ソフトウェア、ファームウェア、及びミドルウェアを含むが、これらに限定されないハードウェア及びソフトウェアの様々な組み合わせを備える多くの異なるコンピュータ構成で実装されうることを当業者は認識するのであろう。
【００９９】
無線送受信機１４４０は、ワイヤレス通信標準及び／又はプロトコルなどをサポートする他の機器とデバイス１４００が通信することを容易にする無線周波数送信機及び／又は受信機機能を備えることができる。いくつかの例示的な実施形態では、無線送受信機１４４０は、デバイス１４００が３ＧＰＰ及び／又は他の標準化団体によって標準化のために提案された様々なプロトコル及び／又は方法に従って、様々な５Ｇ／ＮＲネットワークと通信することを可能にする送信機及び受信機を含む。例えば、このような機能は、他の図に関して本書に記載されるような、ＯＦＤＭ、ＯＦＤＭＡ及び／又はＳＣ‐ＦＤＭＡ技術に基づくＰＨＹレイヤを実装するために、プロセッサ１４１０と協働して動作可能である。いくつかの例示的な実施形態では、無線送受信機１４４０は、図５を参照して上述したように示された受信機機能の一部又は全部を備えることができる。
【０１００】
いくつかの例示的な実施形態では、無線送受信機１４４０は、デバイス１４００が３ＧＰＰによって公布された標準に従って、様々なＬＴＥ  ＬＴＥアドバンスト（ＬＴＥ‐Ａ）及び／又はＮＲネットワークと通信することを可能にできるＬＴＥ送信機及び受信機を含む。本開示のいくつかの例示的な実施形態では、無線送受信機１４４０は、デバイス１４００がやはり３ＧＰＰ標準に従って、様々な５Ｇ／ＮＲ、ＬＴＥ、ＬＴＥ‐Ａ、ＵＭＴＳ及び／又はＧＳＭ／ＥＤＧＥネットワークと通信するために必要な回路、ファームウェアなどを含む。本開示のいくつかの例示的な実施形態において、無線送受信機１４４０は、３ＧＰＰ２標準に従って、デバイス１４００が様々なＣＤＭＡ２０００ネットワークと通信するために必要な回路、ファームウェアなどを含む。
【０１０１】
本開示のいくつかの例示的な実施形態では、無線送受信機１４４０は、２．４ＧＨｚ、５．６ＧＨｚ及び／又は６０ＧＨｚの領域の周波数を使用して動作するＩＥＥＥ８０２．１１ＷｉＦｉのような無認可周波数帯域で動作する無線技術を使用して通信できる。本開示のいくつかの例示的な実施形態では、無線送受信機１４４０は、ＩＥＥＥ８０２．３イーサネット（登録商標）技術を使用することなどによって、有線通信が可能な送受信機を備えることができる。これらの実施形態の各々に特有の機能は、データ・メモリ１４３０と併せて、又はこれによってサポートされる、プログラム・メモリ１４２０に記憶されたプログラム・コードを実行するプロセッサ１４１０のような、デバイス１４００内の他の回路と結合されうるか、又はこれによって制御されうる。
【０１０２】
ユーザ・インタフェース１４５０は、デバイス１４００の特定の実施形態に応じて様々な形態をとることができ、又はデバイス１４００に完全に存在しなくてもよい。いくつかの例示的な実施形態では、ユーザ・インタフェース１４５０は、マイクロフォン、スピーカ、スライド可能ボタン、押下可能ボタン、ディスプレイ、タッチスクリーン・ディスプレイ、機械的又は仮想キーパッド、機械的又は仮想キーボード、及び／又は携帯電話に一般的に見られる任意の他のユーザ・インタフェース特徴物を含みうる。他の実施形態では、デバイス１４００は、より大きなタッチスクリーン・ディスプレイを含むタブレット・コンピューティング・デバイスを備えることができる。このような実施形態では、ユーザ・インタフェース１４５０の機械的特徴物のうちの１つ以上は、当業者によく知られているように、タッチスクリーン・ディスプレイを使用して実装される互換の又は機能的に均等な仮想ユーザ・インタフェース特徴物（例えば、仮想キーパッド、仮想ボタンなど）によって置き換えることができる。他の実施形態では、デバイス１４００は、特定の例示的な実施形態に応じて一体化、取り外し、又は取り外し可能にできる機械的キーボードを備えるラップトップ・コンピュータ、デスクトップ・コンピュータ、ワークステーションのようなデジタル・コンピューティング・デバイスでありうる。このようなデジタル・コンピューティング・デバイスはまた、タッチスクリーン・ディスプレイを備えることができる。タッチスクリーン・ディスプレイを有するデバイス１４００の多くの例示的な実施形態は、本書で説明される、又は他のように当業者に知られている例示的な方法及び／又は手順に関連する入力のようなユーザ入力を受信できる。
【０１０３】
本開示のいくつかの例示的な実施形態では、デバイス１４００は、デバイス１４００の特徴及び機能によって様々な方法で使用されうる方向センサを備えることができる。例えば、デバイス１４００は、ユーザがデバイス１４００のタッチスクリーン・ディスプレイの物理的方向をいつ変更したかを決定するために、方向センサの出力を使用できる。方向センサからのインジケーション信号は、デバイス１４００上で実行される任意のアプリケーション・プログラムに利用可能でありえ、その結果、アプリケーション・プログラムは、インジケーション信号がデバイスの物理的方向の約９０度の変化を示す場合に、画面表示の方向を（例えば、縦長から横長に）自動的に変更しうる。この例示的な方法では、アプリケーション・プログラムは、デバイスの物理的方向にかかわらず、ユーザによって読み取り可能なように画面表示を維持できる。さらに、方向センサの出力は、本開示の様々な例示的な実施形態と併せて使用されうる。
【０１０４】
デバイス１４００の制御インタフェース１４６０は、デバイス１４００の特定の例示的な実施形態、及びデバイス１４００が通信及び／又は制御することが意図される他の装置の特定のインタフェース要件に応じて、様々な形態をとることができる。例えば、制御インタフェース１４６０は、ＲＳ‐２３２インタフェース、ＲＳ‐４８５インタフェース、ＵＳＢインタフェース、ＨＤＭＩインタフェース、Ｂｌｕｅｔｏｏｔｈインタフェース、ＩＥＥＥ１４１４４（「Ｆｉｒｅｗｉｒｅ」）インタフェース、Ｉ２Ｃインタフェース、ＰＣＭＣＩＡインタフェース等を備えることができる。本開示のいくつかの例示的な実施形態では、制御インタフェース１４６０は、上述のようなＩＥＥＥ８０２．３イーサネットインタフェースを備えることができる。本開示のいくつかの例示的実施形態では、制御インタフェース１４６０は例えば、１つ以上のデジタル‐アナログ（Ｄ／Ａ）及び／又はアナログ‐デジタル（Ａ／Ｄ）コンバータを含むアナログ・インタフェース回路を備えることができる。
【０１０５】
当業者は、特徴、インタフェース、及び無線周波数通信標準の上記のリストは単に例示的なものであり、本開示の範囲を限定するものではないことを認識できる。言い換えれば、デバイス１４００は例えば、ビデオ及び／又は静止画像カメラ、マイクロフォン、メディア・プレーヤ及び／又はレコーダなどを含む、図１４に示されるよりも多くの機能を備えることができる。さらに、無線送受信機１４４０は、Ｂｌｕｅｔｏｏｔｈ、ＧＰＳ、及び／又はその他を含む追加の無線周波数通信標準を使用して通信するために必要な回路を含みうる。さらに、プロセッサ１４１０は、プログラム・メモリ１４２０に記憶されたソフトウェア・コードを実行して、このような追加機能を制御できる。例えば、ＧＰＳ受信機から出力される指向性の速度及び／又は位置推定値は、本開示の様々な例示的な実施形態による様々な例示的な方法及び／又はコンピュータ可読媒体を含む、デバイス１４００上で実行される任意のアプリケーション・プログラムに利用可能でありうる。
【０１０６】
図１５は、他の図を参照して上述したものを含む、本開示の様々な実施形態に従って構成可能な例示的なネットワーク・ノード１５００のブロック図を示す。いくつかの例示的な実施形態では、ネットワーク・ノード１５００は、基地局、ｅＮＢ、ｇＮＢ、又はこれらの構成要素を備えることができる。ネットワーク・ノード１５００は、並列アドレス及びデータ・バス、シリアル・ポート、又は当業者に知られている他の方法及び／又は構造を備えることができるバス１５７０を介してプログラム・メモリ１５２０及びデータ・メモリ１５３０に動作可能に接続されるプロセッサ１５１０を備える。いくつかの例示的な実施形態では、プロセッサ１５１０は、図５に示され、上でより詳細に論じられたプロセッサ５００の機能のいくつか又はすべてを備えることができる。
【０１０７】
プログラム・メモリ１５２０は、上述の１つ以上の例示的な方法及び／又は手順を含む、本開示の様々な実施形態によるプロトコルを使用して１つ以上の他のデバイスと通信するようにネットワーク・ノード１５００を構成及び／又は容易にできる、プロセッサ１５１０によって実行されるソフトウェア・コード（例えば、プログラム命令）を備える。プログラム・メモリ１５２０はまた、ＬＴＥ、ＬＴＥ‐Ａ、及び／又はＮＲについて３ＧＰＰによって標準化されたＰＨＹ、ＭＡＣ、ＲＬＣ、ＰＤＣＰ及びＲＲＣレイヤ・プロトコルのうちの１つ以上、あるいは無線ネットワーク・インタフェース１５４０及びコア・ネットワーク・インタフェース１５５０に関連して利用される任意の他の上位レイヤ・プロトコルのような、他のプロトコル又はプロトコル・レイヤを使用して１つ以上の他のデバイスとネットワーク・ノード１５００が通信することを容易にし、具体的に構成できる、プロセッサ１５１０によって実行されるソフトウェア・コードを備えることができる。限定ではなく例として、３ＧＰＰによって標準化されているように、コア・ネットワーク・インタフェース１５５０はＳ１インタフェースを備えることができ、ワイヤレス・ネットワーク・インタフェース１５５０はＵｕインタフェースを備えることができる。プログラム・メモリ１５２０はさらに、無線ネットワーク・インタフェース１５４０及びコア・ネットワーク・インタフェース１５５０のような様々な構成要素の構成及び制御を含む、ネットワーク・ノード１５００の機能を制御するためにプロセッサ１５１０によって実行されるソフトウェア・コードを含みうる。
【０１０８】
データ・メモリ１５３０は、プロセッサ１５１０がネットワーク・ノード１５００のプロトコル、構成、制御、及び他の機能で使用される変数を記憶するためのメモリ領域を含みうる。したがって、プログラム・メモリ１５２０及びデータ・メモリ１５３０は、不揮発性メモリ（例えば、フラッシュ・メモリ、ハードディスクなど）、揮発性メモリ（例えば、スタティックＲＡＭ又はダイナミックＲＡＭ）、ネットワーク・ベース（例えば、「クラウド」）ストレージ、又はこれらの組み合わせを備えることができる。当業者は、プロセッサ１５１０が複数の個々のプロセッサ（図示せず）を備えることができ、この各々が上述の機能の一部を実施することを認識するのであろう。このような場合、複数の個々のプロセッサは、プログラム・メモリ１５２０及びデータ・メモリ１５３０に共通に接続されてもよく、又は複数の個々のプログラム・メモリ及び／又はデータ・メモリに個別に接続されてもよい。より一般的には、ネットワーク・ノード１５００の様々なプロトコル及び他の機能がアプリケーション・プロセッサ、信号プロセッサ、汎用プロセッサ、マルチコア・プロセッサ、ＡＳＩＣ、固定デジタル回路、プログラマブル・デジタル回路、アナログ・ベースバンド回路、無線周波数回路、ソフトウェア、ファームウェア、及びミドルウェアを含むが、これらに限定されない、ハードウェア及びソフトウェアの多くの異なる組み合わせで実装されうることを、当業者は認識するだろう。
【０１０９】
無線ネットワーク・インタフェース１５４０は、送信機、受信機、信号プロセッサ、ＡＳＩＣ、アンテナ、ビームフォーミング・ユニット、及び、ネットワーク・ノード１５００がいくつかの実施形態では、複数の互換ユーザ機器（ＵＥ）のような他の機器と通信することを可能にする他の回路を備えることができる。いくつかの例示的な実施形態では、無線ネットワーク・インタフェースは、ＬＴＥ、ＬＴＥ‐Ａ、及び／又は５Ｇ／ＮＲについて３ＧＰＰによって標準化されたＰＨＹ、ＭＡＣ、ＲＬＣ、ＰＤＣＰ、及びＲＲＣレイヤ・プロトコルのような様々なプロトコル又はプロトコル・レイヤ、本書で上述したようなそれらの改善、又は無線ネットワーク・インタフェース１５４０と併せて利用される任意の他の上位レイヤのプロトコルを備えることができる。本開示のさらなる例示的な実施形態によれば、無線ネットワーク・インタフェース１５４０は、ＯＦＤＭ、ＯＦＤＭＡ、及び／又はＳＣ‐ＦＤＭＡ技術に基づくＰＨＹレイヤを含みうる。いくつかの実施形態では、このようなＰＨＹレイヤの機能が無線ネットワーク・インタフェース１５４０及びプロセッサ１５１０（メモリ１５２０内のプログラム・コードを含む）によって協調的に提供されうる。
【０１１０】
コア・ネットワーク・インタフェース１５５０は、ネットワーク・ノード１５００がいくつかの実施形態では回線交換（ＣＳ）及び／又はパケット交換コア（ＰＳ）ネットワークのようなコア・ネットワーク内の他の機器と通信することを可能にする、送信機、受信機、及び他の回路を備えることができる。いくつかの実施形態では、コア・ネットワーク・インタフェース１５５０は、３ＧＰＰによって標準化されたＳ１インタフェースを備えることができる。いくつかの例示的な実施形態では、コア・ネットワーク・インタフェース１５５０は、１つ以上のＳＧＷ、ＭＭＥ、ＳＧＳＮ、ＧＧＳＮ、ならびに当業者に知られているＧＥＲＡＮ、ＵＴＲＡＮ、Ｅ‐ＵＴＲＡＮ、及びＣＤＭＡ２０００コア・ネットワークに見られる機能を備える他の物理デバイスへの１つ以上のインタフェースを備えることができる。いくつかの実施形態では、これらの１つ以上のインタフェースは、単一の物理インタフェース上で一緒に多重化されてもよい。いくつかの実施形態では、コア・ネットワーク・インタフェース１５５０の下位レイヤは、非同期転送モード（ＡＴＭ）、インターネット・プロトコル（ＩＰ）・オーバ・イーサネット、光ファイバ上のＳＤＨ、銅線上のＴ１／Ｅ１／ＰＤＨ、マイクロ波無線、又は当業者に知られている他の有線又は無線伝送技術のうちの１つ以上を備えることができる。
【０１１１】
ＯＡ＆Ｍインタフェース１５６０は、ネットワーク・ノード１５００又はこれに動作可能に接続された他のネットワーク機器の動作、管理、及び保守のために、ネットワーク・ノード１５００が外部ネットワーク、コンピュータ、データベースなどと通信することを可能にする、送信機、受信機、及び他の回路を備えることができる。ＯＡ＆Ｍインタフェース１５６０の下位レイヤは、非同期転送モード（ＡＴＭ）、インターネット・プロトコル（ＩＰ）・オーバ・イーサネット、光ファイバ上のＳＤＨ、銅線上のＴ１／Ｅ１／ＰＤＨ、マイクロ波無線、又は当業者に知られている他の有線又は無線伝送技術のうちの１つ以上を備えることができる。さらに、いくつかの実施形態では、無線ネットワーク・インタフェース１５４０、コア・ネットワーク・インタフェース１５５０、及びＯＡ＆Ｍインタフェース１５６０のうちの１つ以上は、上にリストされた例のような単一の物理インタフェース上で一緒に多重化されてもよい。
【０１１２】
図１６は、本開示の１つ以上の例示的な実施形態によるホスト・コンピュータとユーザ機器（ＵＥ）との間でオーバ・ザ・トップ（ＯＴＴ）データ・サービスを提供するために使用可能な例示的なネットワーク構成のブロック図である。ＵＥ１６１０は例えば、ＬＴＥ、ＬＴＥ‐Ａ及び５Ｇ／ＮＲを含む上述のプロトコルに基づくことができる無線インタフェース１６２０を介して無線アクセス・ネットワーク（ＲＡＮ）１６３０と通信できる。ＲＡＮ１６３０は、１つ以上のネットワーク・ノード（例えば、基地局、ｅＮＢ、ｇＮＢ、コントローラなど）を含みうる。ＲＡＮ１６３０は、上述した様々なプロトコル及びインタフェースに従って、コア・ネットワーク１６４０とさらに通信できる。例えば、ＲＡＮ１６３０を備える１つ以上の装置（例えば、基地局、ｅＮＢ、ｇＮＢなど）は、上述のコア・ネットワーク・インタフェース１４５０を介してコア・ネットワーク１６４０と通信できる。いくつかの例示的な実施形態では、ＲＡＮ１６３０及びコア・ネットワーク１６４０は、上で論じた他の図に示すように構成及び／又は配置されうる。同様に、ＵＥ１６１０はまた、上述の他の図に示されるように構成及び／又は配置されうる。
【０１１３】
コア・ネットワーク１６４０は、当業者に知られている種々のプロトコル及びインタフェースに従って、インターネット１６５０として図１６に示されている外部パケット・データ・ネットワークとさらに通信できる。多くの他のデバイス及び／又はネットワークも、例示的なホスト・コンピュータ１６６０のようなインターネット１６５０に接続し、これを介して通信できる。いくつかの例示的な実施形態では、ホスト・コンピュータ１６６０は、インターネット１６５０、コア・ネットワーク１６４０、及びＲＡＮ１６３０を媒介として使用して、ＵＥ１６１０と通信できる。ホスト・コンピュータ１６６０は、サービス・プロバイダの所有権及び／又は制御下にあるサーバ（例えば、アプリケーション・サーバ）とできる。ホスト・コンピュータ１６６０は、ＯＴＴサービス・プロバイダによって、又はサービス・プロバイダの代わりに別のエンティティによって動作されうる。
【０１１４】
例えば、ホスト・コンピュータ１６６０は、コア・ネットワーク１６４０及びＲＡＮ１６３０の設備を使用して、ホスト・コンピュータ１６６０への／からの発信／着信通信のルーティングを意識することができない、オーバ・ザ・トップ（ＯＴＴ）パケット・データ・サービスをＵＥ１６１０に提供できる。同様に、ホスト・コンピュータ１６６０は、ホスト・コンピュータからＵＥへの送信のルーティング、例えばＲＡＮ１６３０を介した送信のルーティングを意識することができない。例えば、ホスト・コンピュータからＵＥへのストリーミング（単方向）オーディオ及び／又はビデオ、ホスト・コンピュータとＵＥとの間の対話（双方向）オーディオ及び／又はビデオ、対話型メッセージング又はソーシャル・コミュニケーション、対話型仮想又は拡張現実などを含む、図１６に示される例示的な構成を使用して、様々なＯＴＴサービスが提供されうる。
【０１１５】
図１６に示される例示的なネットワークはまた、本書で開示される例示的な実施形態によって改善されるデータ速度、レイテンシ、及び他の要因を含むネットワーク性能メトリックを監視する測定手順及び／又はセンサを含みうる。例示的なネットワークはまた、測定結果の変動に応答してエンドポイント（例えば、ホスト・コンピュータ及びＵＥ）間のリンクを再構成するための機能を含みうる。このような手順及び機能は知られており、実践されている。ネットワークがＯＴＴサービス・プロバイダから無線インタフェースを隠すか又は抽象化するならば、測定は、ＵＥとホスト・コンピュータとの間の独自のシグナリングによって容易にされうる。
【０１１６】
本書で説明するように、ＣＡ及びＤＣにおけるＳセル・アクティブ化の性能を改善する例示的な実施形態は、ＵＥ１６１０及びＲＡＮ１６３０がホスト・コンピュータ１６６０とＵＥ１６１０との間の特定のＯＴＴサービスの要件を満たすことを可能にすることによって、重要な役割を果たすことができる。ＮＲ  Ｓセルについてのアクティブ化時間（例えば、平均アクティブ化時間）の削減は、ＮＲ  ｇＮＢによって提供されるＰＳＣ（例えば、Ｐセル及び／又はＰＳセル）及びＳセルにおいて、よりロバストなリソース利用及び／又はスケジューリングを提供する。ネットワークが、ユーザのニーズに従ってＳセルを迅速にアクティブ化及び非アクティブ化することを可能にすることによって、これらの技術はカバレッジ・エリアにおけるデータ・スループットを改善し、より多くのユーザが過剰な電力消費又はユーザ体験に対する他の劣化なしに、様々なカバレージ条件においてストリーミング・ビデオのようなデータ集中的サービスを利用することを可能にする。
【０１１７】
本書で説明するように、デバイス及び／又は装置は半導体チップ、チップセット、又はこのようなチップ又はチップセットを備える（ハードウェア）モジュールによって表されうる。しかし、これはハードウェア実装される代わりに、デバイス又は装置の機能が実行のための、又はプロセッサ上で実行される実行可能ソフトウェア・コード部分を備えるコンピュータ・プログラム又はコンピュータ・プログラム製品のようなソフトウェア・モジュールとして実装される可能性を排除しない。さらに、デバイス又は装置の機能は、ハードウェア及びソフトウェアの任意の組み合わせによって実装されうる。デバイス又は装置は、機能的に互いに協働するか、又は互いに独立しているかにかかわらず、複数のデバイス及び／又は装置のアセンブリと見なすこともできる。さらに、デバイス又は装置の機能が保存される限り、デバイス及び装置は、システム全体にわたって分散された形で実装されうる。このような原理及び類似の原理は、当業者に知られていると考えられる。
【０１１８】
上記は、単に本開示の原理を例示するものである。本書の教示を考慮すれば、記載された実施形態に対する様々な修正及び変更が当業者には明らかであろう。したがって、当業者は本書では明示的に示されていないか、又は説明されていないが、本開示の原理を具体化し、したがって本開示の精神及び範囲内にありうる多数のシステム、配置及び手順を考案できることが理解されよう。当業者には理解されるように、様々な異なる例示的な実施形態を互いに一緒に使用することができ、またそれらと交換可能に使用できる。さらに、本書、図面、及びその例示的な実施形態を含む、本開示で使用される特定の用語は例えばデータ及び情報を含むが、これらに限定されない特定の例では同義的に使用できる。これらの単語及び／又は互いに同義でありうる他の単語は本書において同義に使用されうるが、そのような単語が同義に使用されないことを意図されうる場合がありうることを理解されたい。さらに、従来技術の知識が上記の参照により明示的に組み込まれていない限り、その全体が本書に明示的に組み込まれる。参照される全ての刊行物は、その全体が参照により本書に組み込まれる。
【０１１９】
本開示の例示的な実施形態は以下にリストされた実施形態を含むが、これらに限定されない。
１．ユーザ機器（ＵＥ）によって、ワイヤレス・ネットワークにおいて前記ＵＥのプライマリ・サービング・セル（ＰＳＣ）とともに動作するためのセカンダリ・セル（Ｓセル）のアクティブ化のためのチャネル状態情報（ＣＳＩ）を決定するために使用される方法であって、前記方法は、
前記Ｓセルを識別するアクティブ化要求を前記ＰＳＣから受信することと、
前記Ｓセルによって送信された信号ブロックの前記ＵＥによる最後の測定からの持続時間（Ｔ）を決定することと、
前記持続時間が第１閾値（Ｔ０）以上であるかどうかを判定することと、
前記持続時間が前記第１閾値以上である場合に、前記ＣＳＩを決定するためにブラインド・アクティブ化手順を実行することと、
そうでない場合に、前記持続時間が第２閾値（Ｔ１）未満であるかどうかを判定することと、
前記持続時間が前記第２閾値未満である場合に、前記ＣＳＩを決定するために高速アクティブ化手順を実行することと、
そうでない場合に、前記ＣＳＩを決定するために通常アクティブ化手順を実行することと、を有する方法。
２．実施形態１に記載の方法であって、前記ＣＳＩを前記ＰＳＣへ送信することをさらに有する、方法。
３．実施形態１又は２に記載の方法であって、
前記ＰＳＣからＳセル測定活動率パラメータを受信することと、
前記活動率パラメータに基づいて、前記Ｓセルによって送信された信号ブロックに対して１回以上の測定を実行することと、をさらに有する、方法。
４．実施形態１乃至３の何れか１つに記載の方法であって、前記ブラインド・アクティブ化手順は、前記ＵＥを有する受信機について、前記Ｓセルに対応する第１ゲイン状態を、
前記Ｓセルによって送信された１つ以上の信号ブロックのそれぞれにおいて、電力を測定し、測定飽和を検出することであって、各信号ブロックは、第１増幅器についての複数のゲイン設定のうちの１つを使用して受信される、ことと、
前記電力測定及び飽和検出に基づいて、前記複数のゲイン設定のうちの１つを選択することと、
前記Ｓセルによって送信されたさらなる信号ブロック内の電力を測定することであって、前記さらなる信号ブロックは、前記第１増幅器についての前記選択されたゲイン設定を使用して受信される、ことと、
前記さらなる信号ブロックで測定された前記電力に基づいて、第２増幅器についてのゲイン設定を決定することと、
前記第１増幅器についての前記選択されたゲイン設定と、前記第２増幅器についての前記決定されたゲイン設定とを、前記Ｓセルに対応する前記受信機についての前記第１ゲイン状態として記憶することと、によって決定することを有する、方法。
５．実施形態４に記載の方法であって、前記ブラインド・アクティブ化手順は、前記記憶された第１ゲイン状態と、前記記憶された第１同期情報とを使用して、通常アクティブ化手順を実行することをさらに有する、方法。
６．実施形態１乃至５の何れか１つに記載の方法であって、前記通常アクティブ化手順は、
両方とも前記Ｓセルに対応する、第１ゲイン状態及び記憶された第１同期情報を、前記ＵＥを備える受信機に適用することと、
前記適用された第１ゲイン状態及び第１同期情報に基づいて、前記Ｓセルによって送信された第１信号ブロックに対して１回以上の第１測定を実行することと、
前記第１測定に基づいて、
前記第１ゲイン状態を第２ゲイン状態に更新することと、
前記第１同期情報を第２同期情報に更新することと、を有する、方法。
７．実施形態６に記載の方法であって、
前記Ｓセルによって送信された第１信号ブロックに対して１回以上の第１測定を実行することは、
Ｓセル・タイミング不確実性の範囲をカバーする１つ以上のタイミング・オフセットのそれぞれにおいて少なくとも１回の第１測定を実行することと、
それぞれのタイミング・オフセットの最大第１測定に対応するタイミング・オフセットのうちの特定の１つを選択することと、を実行することと、を有し、
前記第１同期情報を第２同期情報に更新することは、前記選択されたタイミング・オフセットに基づいており、
前記第１ゲイン状態を前記第２ゲイン状態に更新することは、前記選択されたタイミング・オフセットに対応する前記最大第１測定に基づいている、方法。
８．実施形態６又は７に記載の方法であって、前記通常アクティブ化手順は、前記第２ゲイン状態及び前記第２同期情報を使用して高速アクティブ化手順を実行することをさらに有する、方法。
９．実施形態１乃至８の何れか１つに記載の方法であって、前記高速アクティブ化手順は、
前記第２ゲイン状態及び前記第２同期情報を前記受信機に適用することと、
前記適用された第２ゲイン状態及び第２同期情報に基づいて、前記Ｓセルによって送信された第２信号ブロックに対して１回以上の第２測定を実行することと、
前記１回以上の第２測定に基づいて前記ＣＳＩを決定することと、を有する、方法。
１０．実施形態９に記載の方法であって、前記高速アクティブ化手順は、前記１回以上の第２測定に基づいて、前記第２ゲイン状態及び前記記憶された同期情報のうちの少なくとも１つを更新することをさらに有する、方法。
１１．実施形態１乃至１０の何れか１つに記載の方法であって、ＰＳＣは、プライマリ・セル（Ｐセル）と、プライマリ・セカンダリ・セル（ＰＳセル）とのうちの１つである、方法。
１２．プライマリ・サービング・セル（ＰＳＣ）及び少なくとも１つの選択的にアクティブ化されたセカンダリ・セル（Ｓセル）を介して１つ以上のユーザ機器（ＵＥ）と通信するように構成されたネットワーク・ノードによって使用される方法であって、前記方法は、
前記１つ以上のＵＥによる１つ以上のＳセルのアクティブ化をサポートするために必要なＳセル測定活動率を決定することと、
前記Ｓセル測定活動率を表すパラメータを前記１つ以上のＵＥへ送信することと、
前記１つ以上のＵＥのうちの特定のＵＥへ、前記Ｓセル測定活動率を表す前記パラメータによってカバーされる特定のＳセルをアクティブ化する要求を送信することと、
前記特定のＵＥから、前記特定のＳセルに関する有効測定報告を受信することと、を有する方法。
１３．ユーザ機器（ＵＥ）であって、前記ＵＥは、ワイヤレス・ネットワークにおいて前記ＵＥのプライマリ・サービング・セル（ＰＳＣ）とともに動作するためのセカンダリ・セル（Ｓセル）のアクティブ化のためのチャネル状態情報（ＣＳＩ）を決定するように構成され、前記ＵＥは、
無線送受信機と、
少なくとも１つのプロセッサと、
前記少なくとも１つのプロセッサによって実行された場合に、前記ＵＥを、
前記Ｓセルを識別するアクティブ化要求を前記Ｐセルから受信することと、
前記Ｓセルの前記ＵＥによる最後の測定からの持続時間（Ｔ）を決定することと、
前記持続時間が第１閾値（Ｔ０）以上であるかどうかを判定することと、
前記持続時間が前記第１閾値以上である場合に、前記ＣＳＩを決定するためにブラインド・アクティブ化手順を実行することと、
そうでない場合に、前記持続時間が第２閾値（Ｔ１）未満であるかどうかを判定することと、
前記持続時間が前記第２閾値未満である場合に、前記ＣＳＩを決定するために高速アクティブ化手順を実行することと、
そうでない場合に、前記ＣＳＩを決定するために通常アクティブ化手順を実行すること（７８０）と、を行うように構成するプログラム命令を記憶する少なくとも1つのメモリと、を備えるＵＥ。
１４．実施形態１３に記載のユーザ機器（ＵＥ）であって、前記命令の実行は、前記ＵＥを、前記ＣＳＩを前記ＰＳＣへ送信するようにさらに構成する、ＵＥ。
１５．実施形態１３又は１４に記載のユーザ機器（ＵＥ）であって、
前記ＰセルからＳセル測定活動率パラメータを受信することと、
前記活動率パラメータに基づいて、前記Ｓセルによって送信された信号ブロックに対して１回以上の測定を実行することと、をさらに有する、ＵＥ。
１６．実施形態１３乃至１５の何れか１つに記載のユーザ機器（ＵＥ）であって、前記命令の実行は、前記ＵＥを、前記ＵＥを有する受信機について、前記Ｓセルに対応する第１ゲイン状態を、
前記Ｓセルによって送信された１つ以上の信号ブロックのそれぞれにおいて、電力を測定し、測定飽和を検出することであって、各信号ブロックは、第１増幅器についての複数のゲイン設定のうちの１つを使用して受信される、ことと、
前記電力測定及び飽和検出に基づいて、前記複数のゲイン設定のうちの１つを選択することと、
前記Ｓセルによって送信されたさらなる信号ブロック内の電力を測定することであって、前記さらなる信号ブロックは、前記第１増幅器についての前記選択されたゲイン設定を使用して受信される、ことと、
前記さらなる信号ブロックで測定された前記電力に基づいて、第２増幅器についてのゲイン設定を決定することと、
前記第１増幅器についての前記選択されたゲイン設定と、前記第２増幅器についての前記決定されたゲイン設定とを、前記Ｓセルに対応する前記受信機についての前記第１ゲイン状態として記憶することと、によって決定することによって、前記ブラインド・アクティブ化手順を実行するように構成する、ＵＥ。
１７．実施形態１６に記載のユーザ機器（ＵＥ）であって、前記命令の実行は、前記ＵＥを、前記記憶された第１ゲイン状態と、前記記憶された第１同期情報とを使用して、通常アクティブ化手順を実行することによって前記ブラインド・アクティブ化手順を実行するようにさらに構成する、ＵＥ。
１８．実施形態１３乃至１７の何れか１つに記載のユーザ機器（ＵＥ）であって、前記命令の実行は、前記ＵＥを、
両方とも前記Ｓセルに対応する、第１ゲイン状態及び記憶された第１同期情報を、前記ＵＥを備える受信機に適用することと、
前記適用された第１ゲイン状態及び第１同期情報に基づいて、前記Ｓセルによって送信された第１信号ブロックに対して１回以上の第１測定を実行することと、
前記第１測定に基づいて、
前記第１ゲイン状態を第２ゲイン状態に更新することと、
前記第１同期情報を第２同期情報に更新することと、によって、前記通常アクティブ化手順を実行するようにさらに構成する、ＵＥ。
１９．実施形態１８に記載のユーザ機器（ＵＥ）であって、前記命令の実行は、
Ｓセル・タイミング不確実性の範囲をカバーする１つ以上のタイミング・オフセットのそれぞれにおいて少なくとも１回の第１測定を実行することと、
それぞれのタイミング・オフセットの最大第１測定に対応するタイミング・オフセットのうちの特定の１つを選択することと、を実行することと、によって前記Ｓセルによって送信された前記第１信号ブロックに対して１回以上の第１測定を実行するようにさらに構成し、
前記第１同期情報を第２同期情報に更新することは、前記選択されたタイミング・オフセットに基づいており、
前記第１ゲイン状態を前記第２ゲイン状態に更新することは、前記選択されたタイミング・オフセットに対応する前記最大第１測定に基づいている、ＵＥ。
２０．実施形態１８又は１９に記載のユーザ機器（ＵＥ）であって、前記命令の実行は、前記ＵＥを、前記第２ゲイン状態及び前記第２同期情報を使用して高速アクティブ化手順を実行することによって前記通常アクティブ化手順を実行するようにさらに構成する、ＵＥ。
２１．実施形態１３乃至２０の何れか１つに記載のユーザ機器（ＵＥ）であって、前記命令の実行は、前記ＵＥを、
前記第２ゲイン状態及び前記第２同期情報を前記受信機に適用することと、
前記適用された第２ゲイン状態及び第２同期情報に基づいて、前記Ｓセルによって送信された第２信号ブロックに対して１回以上の第２測定を実行することと、
前記１回以上の第２測定に基づいて前記ＣＳＩを決定することと、によって前記高速アクティブ化手順を実行するようにさらに構成する、ＵＥ。
２２．実施形態２１に記載のユーザ機器（ＵＥ）であって、前記命令の実行は、前記ＵＥを、前記１回以上の第２測定に基づいて、前記第２ゲイン状態及び前記記憶された同期情報のうちの少なくとも１つを更新することによって前記高速アクティブ化手順を実行するようにさらに構成する、ＵＥ。
２３．実施形態１３乃至２２の何れか１つに記載のユーザ機器（ＵＥ）であって、ＰＳＣは、プライマリ・セル（Ｐセル）と、プライマリ・セカンダリ・セル（ＰＳセル）とのうちの１つである、ＵＥ。
２４．プライマリ・サービング・セル（ＰＳＣ）及び少なくとも１つの選択的にアクティブ化されたセカンダリ・セル（Ｓセル）を介して１つ以上のユーザ機器（ＵＥ）と通信するように構成されたネットワーク・ノードであって、前記ネットワーク・ノードは、
無線インタフェースと、
少なくとも１つのプロセッサと、
前記少なくとも１つのプロセッサによって実行された場合に、前記ネットワーク・ノードを、
前記１つ以上のＵＥによる１つ以上のＳセルのアクティブ化をサポートするために必要なＳセル測定活動率を決定することと、
前記Ｓセル測定活動率を表すパラメータを前記１つ以上のＵＥへ送信することと、
前記１つ以上のＵＥのうちの特定のＵＥへ、前記Ｓセル測定活動率を表す前記パラメータによってカバーされる特定のＳセルをアクティブ化する要求を送信することと、
前記特定のＵＥから、前記特定のＳセルに関する有効測定報告を受信することと、を行うように構成するポログラム命令を記憶する少なくとも１つのメモリと、を備えるネットワーク・ノード。
２５．少なくとも１つのプロセッサによって実行された場合に、実施形態１乃至１１の何れか１つに記載の方法に対応する動作を実行することによって、ユーザ機器（ＵＥ）を、ワイヤレス・ネットワークにおいて前記ＵＥのプライマリ・サービング・セル（Ｐセル）とともに動作するためのセカンダリ・セル（Ｓセル）のアクティブ化のためのチャネル状態情報（ＣＳＩ）を決定するように構成するプログラム命令を記憶する非一時的なコンピュータ可読媒体。
２６．少なくとも１つのプロセッサによって実行された場合に、プライマリ・サービング・セル（Ｐセル）及び１つ以上の選択的にアクティブ化されたセカンダリ・セル（Ｓセル）を介して１つ以上のユーザ機器（ＵＥ）と通信するように構成されたネットワーク・ノードを、実施形態１２に対応する動作を実行するように構成するプログラム命令を記憶する非一時的なコンピュータ可読媒体。
【図１】
2021520682.tif 000003
【図２Ａ】
2021520682.tif 000004
【図２Ｂ】
2021520682.tif 000005
【図２Ｃ】
2021520682.tif 000006
【図３Ａ】
2021520682.tif 000007
【図３Ｂ】
2021520682.tif 000008
【図４】
2021520682.tif 000009
【図５】
2021520682.tif 000010
【図６】
2021520682.tif 000011
【図７】
2021520682.tif 000012
【図８】
2021520682.tif 000013
【図９】
2021520682.tif 000014
【図１０】
2021520682.tif 000015
【図１１】
2021520682.tif 000016
【図１２】
2021520682.tif 000017
【図１３】
2021520682.tif 000018
【図１４】
2021520682.tif 000019
【図１５】
2021520682.tif 000020
【図１６】
2021520682.tif 000021
【国際調査報告】
2021520682.tif 000022
2021520682.tif 000023